(57)【要約】  蒸着ユニット（１）は、蒸着源（１０）と第１の制限板ユニット（２０）および第２の制限板ユニット（３０）を少なくとも有する複数段の制限板ユニットと蒸着マスク（４０）とをこの順に備え、第１の制限板ユニット（２０）は複数の第１の制限板（２２）を備え、第２の制限板ユニット（３０）は複数の第２の制限板（３２）を備え、Ｚ軸方向から見たときに第２の制限板（３２）が、Ｙ軸方向に交差する方向に延設されている。
2014119452.tif 000002
【特許請求の範囲】
【請求項１】
蒸着マスクと、
上記蒸着マスクに向かって蒸着粒子を射出する蒸着源と、
上記蒸着マスクと蒸着源との間に設けられ、上記蒸着粒子の通過角度を制限する第１の制限板ユニットおよび第２の制限板ユニットを少なくとも有する複数段の制限板ユニットとを備え、
上記第１の制限板ユニットは、上記蒸着マスクの主面に垂直な方向から見たときに、第１の方向に互いに離間し、かつ、互いに平行に設けられた、複数の第１の制限板からなる第１の制限板列を備え、
上記第２の制限板ユニットは、上記第１の制限板ユニットと蒸着マスクとの間に設けられており、かつ、複数の第２の制限板を備え、
上記蒸着マスクの主面に垂直な方向から見たときに、上記第２の制限板が、上記第１の方向に垂直な第２の方向に交差する方向に延設されていることを特徴とする蒸着ユニット。
【請求項２】
上記第１の制限板および第２の制限板は、それぞれ、上記蒸着マスクの主面に垂直に設けられていることを特徴とする請求項１に記載の蒸着ユニット。
【請求項３】
上記蒸着マスクの主面に垂直な方向から見たときに、上記第１の制限板と第２の制限板とは、互いの端面が互いに直交する方向に延設されていることを特徴とする請求項１または２に記載の蒸着ユニット。
【請求項４】
上記第２の制限板は、上記蒸着マスクの主面に垂直な方向から見たときに、上記第１の方向に漸近するように形成されていることを特徴とする請求項１または２に記載の蒸着ユニット。
【請求項５】
上記蒸着マスクの主面に垂直な方向から見たときに、上記第２の制限板が、屈曲点を少なくとも１つ有していることを特徴とする請求項４に記載の蒸着ユニット。
【請求項６】
上記蒸着マスクの主面に垂直な方向から見たときに、上記第２の制限板の端面が、屈曲点を複数有していることを特徴とする請求項５に記載の蒸着ユニット。
【請求項７】
上記蒸着マスクの主面に垂直な方向から見たときに、上記蒸着源の射出口に相対的に近い領域では上記第２の制限板の屈曲角度が相対的に小さく、上記射出口から相対的に遠い領域では、上記第２の制限板の屈曲角度が相対的に大きいことを特徴とする請求項６に記載の蒸着ユニット。
【請求項８】
上記蒸着マスクの主面に垂直な方向から見たときに、上記第２の制限板が互いに交差していることを特徴とする請求項４に記載の蒸着ユニット。
【請求項９】
上記第２の制限板は、上記蒸着マスクの主面に垂直な方向から見たときに、それぞれ、上記複数の第１の制限板を跨ぐように上記第１の方向に連続して設けられていることを特徴とする請求項１〜８の何れか１項に記載の蒸着ユニット。
【請求項１０】
上記第２の制限板は、上記蒸着マスクの主面に垂直な方向から見たときに、上記第１の方向および第２の方向に複数設けられていることを特徴とする請求項１〜９の何れか１項に記載の蒸着ユニット。
【請求項１１】
上記第１の制限板と第２の制限板とが互いに離間して設けられていることを特徴とする請求項１〜１０の何れか１項に記載の蒸着ユニット。
【請求項１２】
上記第１の制限板と第２の制限板とが互いに接触して設けられていることを特徴とする請求項１〜１０の何れか１項に記載の蒸着ユニット。
【請求項１３】
上記複数段の制限板ユニットは、上記第２の制限板ユニットと蒸着マスクとの間に、上記第２の制限板ユニットを通過した蒸着粒子の通過角度を制限する第３の制限板ユニットをさらに有しており、
上記第３の制限板ユニットは、上記蒸着マスクの主面に垂直な方向から見たときに、少なくとも、第１の方向に互いに離間し、かつ、互いに平行に設けられた、複数の第３の制限板からなる第３の制限板列を備えていることを特徴とする請求項１〜１２の何れか１項に記載の蒸着ユニット。
【請求項１４】
上記蒸着マスクの主面に垂直な方向から見たときに、上記蒸着源の射出口に相対的に近い領域では上記第２の制限板の配設密度が相対的に高く、上記射出口から相対的に遠い領域では、上記第２の制限板の配設密度が相対的に低いことを特徴とする請求項１〜１３の何れか１項に記載の蒸着ユニット。
【請求項１５】
請求項１〜１４の何れか１項に記載の蒸着ユニットと、
上記蒸着ユニットにおける蒸着マスクと被成膜基板とを対向配置した状態で、上記蒸着ユニットおよび上記被成膜基板のうち一方を、上記第２の方向が走査方向となるように相対移動させる移動装置とを備え、
上記蒸着マスクの上記第２の方向の幅は、上記第２の方向における被成膜基板の幅よりも小さく、
上記第２の方向に沿って走査しながら、上記蒸着源から出射された蒸着粒子を、上記複数段の制限板ユニットおよび上記蒸着マスクの開口部を介して上記被成膜基板に蒸着させることを特徴とする蒸着装置。
【発明の詳細な説明】
【技術分野】
【０００１】
本発明は、被成膜基板に所定パターンの蒸着膜を形成するための蒸着ユニットおよび蒸着装置に関する。
【背景技術】
【０００２】
近年、様々な商品や分野でフラットパネルディスプレイが活用されており、フラットパネルディスプレイのさらなる大型化、高画質化、低消費電力化が求められている。【０００３】
そのような状況下、有機材料の電界発光（エレクトロルミネッセンス；以下、「ＥＬ」と記す）を利用した有機ＥＬ素子を備えた有機ＥＬ表示装置は、全固体型で、低電圧駆動、高速応答性、自発光性等の点で優れたフラットパネルディスプレイとして、高い注目を浴びている。【０００４】
有機ＥＬ表示装置は、例えば、アクティブマトリクス方式の場合、ＴＦＴ（薄膜トランジスタ）が設けられたガラス基板等からなる基板上に、ＴＦＴに電気的に接続された薄膜状の有機ＥＬ素子が設けられた構成を有している。【０００５】
フルカラーの有機ＥＬ表示装置では、一般的に、赤（Ｒ）、緑（Ｇ）、青（Ｂ）の各色の有機ＥＬ素子が、サブ画素として基板上に配列形成されており、ＴＦＴを用いて、これら有機ＥＬ素子を選択的に所望の輝度で発光させることにより画像表示を行う。【０００６】
したがって、このような有機ＥＬ表示装置を製造するためには、少なくとも、各色に発光する有機発光材料からなる発光層を、有機ＥＬ素子毎に所定パターンで形成する必要がある。【０００７】
このような発光層を所定パターンで形成する方法としては、例えば、真空蒸着法、インクジェット法、レーザ転写法等が知られている。例えば、低分子型有機ＥＬ表示装置（ＯＬＥＤ）では、主に真空蒸着法が、発光層のパターニングに用いられている。【０００８】
真空蒸着法では、所定パターンの開口が形成された蒸着マスク（シャドウマスクとも称される）が使用される。そして、蒸着源からの蒸着粒子（蒸着材料、成膜材料）を、蒸着マスクの開口を通して被蒸着面に蒸着させることにより、所定パターンの薄膜が形成される。このとき、蒸着は、発光層の色毎に行われる（これを「塗り分け蒸着」という）。【０００９】
真空蒸着法は、被成膜基板と蒸着マスクとを固定もしくは順次移動させて密着させることにより成膜する方法と、被成膜基板と蒸着用のマスクとを離間させて走査しながら成膜するスキャン蒸着法とに大別される。【００１０】
前者の方法では、被成膜基板と同等の大きさの蒸着マスクが使用される。しかしながら、被成膜基板と同等の大きさの蒸着マスクを使用すると、基板の大型化に伴い、蒸着マスクも大型化する。したがって、被成膜基板が大きくなれば、それに伴い、蒸着マスクの自重撓みや伸びにより、被成膜基板と蒸着マスクとの間に隙間が生じ易くなる。そのため、大型基板では、高精度なパターニングを行うのが難しく、蒸着位置のズレや混色が発生し、高精細化を実現することが困難である。【００１１】
また、被成膜基板が大きくなれば、蒸着マスクのみならず、蒸着マスク等を保持するフレーム等も巨大になり、その重量も増加する。このため、被成膜基板が大きくなると、蒸着マスクやフレーム等の取り扱いが困難になり、生産性や安全性に支障をきたすおそれがある。また、蒸着装置そのものや、それに付随する装置も同様に巨大化、複雑化するため、装置設計が困難になり、設置コストも高額になる。【００１２】
このため、実情、前者の方法では、例えば６０インチサイズを超えるような大型基板に対しては、量産レベルで塗り分け蒸着することができない。【００１３】
そこで、近年、被成膜基板よりも小さな蒸着マスクを用いて走査しながら蒸着を行うスキャン蒸着法が注目されている。【００１４】
このようなスキャン蒸着法では、例えば帯状の蒸着マスクを使用し、蒸着マスクと蒸着源とを一体化する等して、被成膜基板と、蒸着マスクおよび蒸着源との少なくとも一方を相対移動させながら被成膜基板全面に蒸着粒子を蒸着する。【００１５】
このため、スキャン蒸着法では、被成膜基板と同等の大きさの蒸着マスクを用いる必要がなく、大型の蒸着マスクを用いる場合に特有の上述の問題を改善することができる。【００１６】
しかしながら、その一方で、スキャン蒸着法では、被成膜基板と、蒸着マスクおよび蒸着源との少なくとも一方を相対移動させるため、被成膜基板と蒸着マスクとの間に隙間が設けられる。【００１７】
蒸着マスクを用いた真空蒸着法では、蒸着材料を加熱して蒸発または昇華させて蒸着源から蒸着粒子として射出（飛散）させることにより蒸着が行われる。このため、蒸着すべき蒸着領域に対して蒸着粒子を適切に導くことができなければ、蒸着領域の外側の部分に蒸着材料が付着し、蒸着ボケ（パターンボケ）が生じる。【００１８】
スキャン蒸着法では、被成膜基板と蒸着マスクとの間の隙間を維持しながら走査を行うため、蒸着マスクの開口を斜めに通過する蒸着粒子の一部が蒸着領域（蒸着マスクの開口と対向する領域）の外側の部分に付着し、走査方向に対して垂直な方向に蒸着ボケが発生し易い。【００１９】
発光層等は画素の発光領域として機能する。このため、蒸着ボケが、隣接する画素の異なる色の発光領域に及ぶと、混色やデバイス特性の劣化を招く。従って、蒸着ボケは極力小さくすることが望ましい。【００２０】
そこで、近年、蒸着ボケを低減させる方法として、蒸着流（蒸着粒子の流れ）を制限する制限板（制御板）を設けることで蒸着流の指向性を高め、これにより蒸着粒子を蒸着領域に適切に導く方法が提案されている（例えば特許文献１等）。【００２１】
図１４は、特許文献１に記載の蒸着装置の概略構成を示す斜視図である。【００２２】
例えば、特許文献１には、蒸着源３０１の一側に、蒸着源３０１と蒸着マスク３０２との間の空間を複数の蒸着空間に区画する複数の遮断壁３１１を制限板として備えた遮断壁アセンブリ３１０を設けることが開示されている。特許文献１によれば、上記遮断壁３１１によって蒸着範囲が制限されることで、蒸着パターンが広がることなく、高精細なパターン蒸着を行うことができる。
【先行技術文献】
【特許文献】
【００２３】
【特許文献１】日本国公開特許公報「特開２０１０−２７０３９６号公報（２０１０年１２月２日公開）」
【発明の概要】
【発明が解決しようとする課題】
【００２４】
しかしながら、蒸着速度が高くなると（つまり、高レート時には）、このような方法を用いても蒸着ボケを解消することはできない。【００２５】
図１５の（ａ）・（ｂ）は、蒸着源３０１と蒸着マスク３０２との間に、走査方向に垂直な方向に沿って、一般的な制限板３２０を複数設けた場合における、蒸着速度の違いによる蒸着流の違いを模式的に示す図である。なお、図１５の（ａ）は、蒸着速度が相対的に低い場合（低レート時）を示し、図１５の（ｂ）は、蒸着速度が相対的に高い場合（高レート時）を示す。また、図１６は、高レート時に制限板３２０を通過した蒸着粒子４０１を模式的に示す要部平面図である。【００２６】
例えば蒸着源３０１の射出口３０１ａに特殊なノズルを使用しない限り、蒸着源３０１から射出されて飛散する蒸着粒子４０１（蒸着流）は、等方的な分布を示す。【００２７】
このため、図１５の（ａ）・（ｂ）に示すように、蒸着源３０１と蒸着マスク３０２との間に制限板３２０を設けたとしても、走査方向に垂直な方向（Ｘ軸方向）に対して浅い角度で蒸着マスク３０２を通過した蒸着粒子４０１が、被成膜基板２００に形成される蒸着膜４０２の蒸着ボケを引き起こす原因となる。【００２８】
制限板３２０は、浅い角度成分の蒸着粒子４０１をカットし、深い角度成分の蒸着粒子４０１のみを取り出すことで蒸着流を制限し、指向性を向上させる機能を担う。【００２９】
制限板３２０間の制限板開口３２１を通過した蒸着粒子４０１は、図１５の（ａ）に示すように、蒸着速度が低い場合（低レート時）には、指向性をある程度保持したまま蒸着マスク３０２を通過するので、蒸着ボケを解消することができる。【００３０】
しかしながら、図１５の（ｂ）に示すように、高レート時には、蒸着粒子４０１の運動エネルギーが高いため、蒸着粒子４０１間の衝突・散乱確率が高まる。この結果、図１６に示すように、制限板３２０により制限（制御）された蒸着流が、制限板開口３２１を通過後に再度等方的な分布となり、蒸着ボケが発生する。【００３１】
すなわち、従来の制限板３２０では、高レート時のような高い運動エネルギーを有する蒸着流を制御することができない。このことが、蒸着ボケの原因となっている。【００３２】
そして、蒸着ボケが大きくなればなるほど、画素内の不均一発光や隣接画素への混色等が発生し、画質面で大きな問題を引き起こす。【００３３】
同じことが、特許文献１に記載の蒸着装置にも言える。高レート時に衝突・散乱することによりＸ軸に対して浅い角度で遮断壁アセンブリ３１０を通過した蒸着粒子４０１は、Ｘ軸に対して浅い角度のまま蒸着マスク３０２を通過する。このため、特許文献１に記載の蒸着装置も、高レート時に発生する蒸着ボケを抑制することができない。【００３４】
なお、高レート時の蒸着ボケを抑制するため、制限板３２０（例えば、遮断壁３１１）の間隔を小さくすると、制限板３２０の開口率が急激に低下するので、蒸着材料の利用効率が低下する。【００３５】
一方、高レート時の蒸着ボケを抑制するため、制限板３２０（例えば、遮断壁３１１）と蒸着マスク３０２との間の距離を近づけようとすると、制限板３２０のＺ軸方向（被成膜基板２００の法線方向）の長さが長くなる。【００３６】
しかしながら、Ｚ軸方向の長さが長い制限板３２０を使用すると、蒸着粒子４０１の衝突・散乱が複数回生じることで、本来であれば蒸着ボケにならない蒸着成分までカットしてしまうことになる。この結果、材料利用効率が著しく低下し、収率が低下し、生産性が著しく悪くなる。また、制限板３２０の重量や熱膨張量が大きくなるので、蒸着ボケの幅にバラツキが生じることになる。【００３７】
本発明は、上記問題点に鑑みなされたものであり、その目的は、蒸着ボケを起こす蒸着流のみを効率的にカットすることで、材料利用効率を低下させることなく蒸着ボケを低減させることができる蒸着ユニットおよび蒸着装置を提供することにある。
【課題を解決するための手段】
【００３８】
上記の課題を解決するために、本発明の一態様にかかる蒸着ユニットは、蒸着マスクと、上記蒸着マスクに向かって蒸着粒子を射出する蒸着源と、上記蒸着マスクと蒸着源との間に設けられ、上記蒸着粒子の通過角度を制限する第１の制限板ユニットおよび第２の制限板ユニットを少なくとも有する複数段の制限板ユニットとを備え、上記第１の制限板ユニットは、上記蒸着マスクの主面に垂直な方向から見たときに、第１の方向に互いに離間し、かつ、互いに平行に設けられた、複数の第１の制限板からなる第１の制限板列を備え、上記第２の制限板ユニットは、上記第１の制限板ユニットと蒸着マスクとの間に設けられており、かつ、複数の第２の制限板を備え、上記蒸着マスクの主面に垂直な方向から見たときに、上記第２の制限板が、上記第１の方向に垂直な第２の方向に交差する方向に延設されている。【００３９】
また、本発明の一態様にかかる蒸着装置は、上記蒸着ユニットと、上記蒸着ユニットにおける蒸着マスクと被成膜基板とを対向配置した状態で、上記蒸着ユニットおよび上記被成膜基板のうち一方を、上記第２の方向が走査方向となるように相対移動させる移動装置とを備え、上記蒸着マスクの上記第２の方向の幅は、上記第２の方向における被成膜基板の幅よりも小さく、上記第２の方向に沿って走査しながら、上記蒸着源から出射された蒸着粒子を、上記複数段の制限板ユニットおよび上記蒸着マスクの開口部を介して上記被成膜基板に蒸着させる。
【発明の効果】
【００４０】
本発明の一態様によれば、蒸着源から射出された蒸着粒子による、等方分布を有する蒸着流は、まず、第１の制限板によって指向性の悪い蒸着成分がカット（捕捉）され、指向性の高い分布に制御される。制御された蒸着流は、蒸着速度が高い場合（つまり、高レート時）に、その高い運動エネルギーに起因して生じる蒸着粒子間の衝突・散乱のため、第１の制限板間の開口領域を通過後に、指向性が悪くなるが、第２の制限板によって再度指向性の悪い蒸着成分がカットされることで、指向性の高い分布に制御され、指向性が高い状態を維持して蒸着マスクを通過する。このため、蒸着ボケを抑制することができ、蒸着ボケが極めて少ない、高精細な蒸着膜パターンを形成することができる。【００４１】
また、上記蒸着ユニットは、蒸着経路に複数段の制限板ユニットを備えていることで、蒸着流の分布に応じて、蒸着ボケを起こす蒸着流の分布のみを、効率的にカットすることができる。このため、被成膜基板の法線方向である、蒸着マスクの主面に垂直な方向における制限板の長さを長くした場合のように制限板でロスする材料を低減することができる。【００４２】
したがって、上記蒸着ユニットおよび蒸着装置によれば、高レート時の蒸着ボケを抑制することができるとともに、従来よりも、材料利用効率を向上させることができ、収率および生産性を向上させることができる。
【図面の簡単な説明】
【００４３】
【図１】実施の形態１にかかる蒸着装置における蒸着ユニットの要部の概略構成を、被成膜基板と併せて示す斜視図である。
【図２】実施の形態１にかかる蒸着装置において、蒸着マスクの主面に垂直な方向から見たときの第１の制限板および第２の制限板を、高レート時に第１の制限板を通過した蒸着粒子と併せて模式的に示す要部平面図である。
【図３】第１の制限板を、隙間を介してＺ軸方向に２段設けた場合の蒸着流の一例を示す断面図である。
【図４】実施の形態１にかかる蒸着装置における第１の制限板ユニットおよび第２の制限板ユニットの概略構成の一例を示す斜視図である。
【図５】実施の形態１にかかる蒸着装置における第２の制限板ユニットの概略構成の他の一例を示す斜視図である。
【図６】実施の形態１にかかる蒸着装置における要部の概略構成を模式的に示す断面図である。
【図７】実施の形態１にかかる制限板ユニットの他の概略構成を示す要部平面図である。
【図８】実施の形態２にかかる蒸着装置における蒸着ユニットの要部の概略構成を、被成膜基板と併せて示す斜視図である。
【図９】実施の形態２にかかる蒸着装置において、蒸着マスクの主面に垂直な方向から見たときの第１の制限板および第２の制限板を、高レート時に第１の制限板を通過した蒸着粒子と併せて模式的に示す要部平面図である。
【図１０】（ａ）〜（ｌ）は、実施の形態２にかかる制限板ユニットの他の概略構成を示す要部平面図である。
【図１１】（ａ）〜（ｃ）は、実施の形態２にかかる制限板ユニットにおける第２の制限板の他のパターン例を示す平面図である。
【図１２】実施の形態３にかかる蒸着装置における蒸着ユニットの要部の概略構成を、被成膜基板と併せて示す斜視図である。
【図１３】実施の形態３にかかる制限板ユニットの概略構成を示す要部平面図である。
【図１４】特許文献１に記載の蒸着装置の概略構成を示す斜視図である。
【図１５】（ａ）・（ｂ）は、蒸着源と蒸着マスクとの間に、走査方向に垂直な方向に沿って、一般的な制限板を複数設けた場合における、蒸着速度の違いによる蒸着流の違いを模式的に示す図であり、（ａ）は低レート時を示し、（ｂ）は高レート時を示す。
【図１６】高レート時に、図１５の（ｂ）に示す制限板を通過した蒸着粒子を模式的に示す要部平面図である。
【発明を実施するための形態】
【００４４】
以下、本発明の実施の形態について、詳細に説明する。
【００４５】
〔実施の形態１〕
本発明の実施の一形態について図１〜図７に基づいて説明すれば以下の通りである。
【００４６】
＜蒸着ユニットの要部の概略構成＞
図１は、本実施の形態にかかる蒸着装置１００（図６参照）における蒸着ユニット１の要部の概略構成を、被成膜基板２００と併せて示す斜視図である。
【００４７】
なお、以下、説明の便宜上、被成膜基板２００の走査方向に沿った水平方向軸をＹ軸とし、被成膜基板２００の走査方向に垂直な方向に沿った水平方向軸をＸ軸とし、被成膜基板２００の被蒸着面２０１（被成膜面）の法線方向であり、該被蒸着面２０１に直交する蒸着軸線が延びる方向である、Ｘ軸およびＹ軸に垂直な垂直方向軸（上下方向軸）をＺ軸として説明する。また、説明の便宜上、特に言及しない限りは、Ｚ軸方向の矢印の側（図１の紙面の上側）を「上側」として説明する。
【００４８】
図１に示すように、本実施の形態にかかる蒸着ユニット１は、蒸着源１０と、蒸着マスク４０と、蒸着源１０と蒸着マスク４０との間に設けられ、蒸着粒子４０１の通過角度を制限する、第１の制限板ユニット２０および第２の制限板ユニット３０とを備えている。
【００４９】
蒸着源１０、第１の制限板ユニット２０、第２の制限板ユニット３０、蒸着マスク４０は、Ｚ軸方向に沿って蒸着源１０側からこの順に、例えば互いに一定の空隙を有して（つまり、一定距離離間して）対向配置されている。
【００５０】
蒸着装置１００は、スキャン蒸着方式を用いた蒸着装置である。このため、蒸着装置１００では、蒸着マスク４０と被成膜基板２００との間に一定の空隙を設けた状態で、被成膜基板２００および蒸着ユニット１の少なくとも一方を相対移動（走査）させる。
【００５１】
このため、蒸着源１０、第１の制限板ユニット２０、第２の制限板ユニット３０、および蒸着マスク４０は、互いにその相対的な位置が固定されている。したがって、これら蒸着源１０、第１の制限板ユニット２０、第２の制限板ユニット３０、および蒸着マスク４０は、例えば図６に示すホルダ５０のように、同一のホルダ等の図示しない保持部材によって保持されていてもよく、一体化されていてもよい。
【００５２】
（蒸着源１０）
蒸着源１０は、例えば、内部に蒸着材料を収容する容器である。蒸着源１０は、容器内部に蒸着材料を直接収容する容器であってもよく、ロードロック式の配管を有し、外部から蒸着材料が供給されるように形成されていてもよい。
【００５３】
蒸着源１０は、図１に示すように、例えば矩形状に形成されている。蒸着源１０は、その上面（すなわち、第１の制限板ユニット２０との対向面）に、蒸着粒子４０１を射出させる複数の射出口１１（貫通口、ノズル）を有している。これら射出口１１は、Ｘ軸方向（第１の方向、走査方向に垂直な方向）に一定ピッチで配されている。
【００５４】
蒸着源１０は、蒸着材料を加熱して蒸発（蒸着材料が液体材料である場合）または昇華（蒸着材料が固体材料である場合）させることで気体状の蒸着粒子４０１を発生させる。蒸着源１０は、このように気体にした蒸着材料を、蒸着粒子４０１として、射出口１１から第１の制限板ユニット２０に向かって射出する。
【００５５】
なお、図１では、蒸着源１０が複数の射出口１１を有している場合を例に挙げて図示しているが、射出口１１の数は特に限定されるものではなく、少なくとも１つ形成されていればよい。
【００５６】
また、射出口１１は、図１に示すようにＸ軸方向に一次元状（すなわち、ライン状）に配列されていてもよく、二次元状（すなわち、面状（タイル状））に配列されていても構わない。
【００５７】
（蒸着マスク４０）
蒸着マスク４０は、その主面（面積が最大である面）であるマスク面がＸＹ平面と平行な板状物である。スキャン蒸着を行う場合、蒸着マスク４０には、被成膜基板２００よりも少なくともＹ軸方向のサイズが小さな蒸着マスクが使用される。
【００５８】
蒸着マスク４０の主面には、蒸着時に蒸着粒子４０１を通過させるための複数のマスク開口４１（開口部、貫通口）が設けられている。マスク開口４１は、被成膜基板２００における、目的とする蒸着領域以外の領域に蒸着粒子４０１が付着しないように、上記蒸着領域の一部のパターンに対応して設けられている。マスク開口４１を通過した蒸着粒子４０１のみが被成膜基板２００に到達し、被成膜基板２００に、マスク開口４１に対応したパターンの蒸着膜４０２（図６参照）が形成される。
【００５９】
なお、上記蒸着材料が有機ＥＬ表示装置における発光層の材料である場合、有機ＥＬ蒸着プロセスにおける発光層の蒸着は、発光層の色毎に行われる。
【００６０】
（第１の制限板ユニット２０および第２の制限板ユニット３０の要部の概略構成）
前述したように、第１の制限板ユニット２０および第２の制限板ユニット３０は、蒸着源１０と蒸着マスク４０との間に、Ｚ軸方向に沿って、蒸着源１０側からこの順に配されている。
【００６１】
第１の制限板ユニット２０は、複数の第１の制限板２２からなる第１の制限板列２１を備えている。また、第２の制限板ユニット３０は、複数の第２の制限板３２からなる第２の制限板列３１を備えている。
【００６２】
蒸着源１０から射出された蒸着粒子４０１は、第１の制限板２２間を通った後、第２の制限板３２間を通り、蒸着マスク４０に形成されたマスク開口４１を通過して、被成膜基板２００に蒸着される。
【００６３】
第１の制限板ユニット２０および第２の制限板ユニット３０は、これら第１の制限板ユニット２０および第２の制限板ユニット３０に入射した蒸着粒子４０１を、その入射角度に応じて選択的に捕捉する。
【００６４】
第１の制限板ユニット２０は、例えば、第１の制限板２２に衝突した蒸着粒子４０１の少なくとも一部を捕捉することで、蒸着源１０から射出された蒸着粒子４０１に対し、第１の制限板２２の配設方向（つまり、Ｘ軸方向および斜め方向）への蒸着粒子４０１の移動を制限する。
【００６５】
一方、第２の制限板ユニット３０は、例えば、第２の制限板３２に衝突した蒸着粒子４０１の少なくとも一部を捕捉することで、第１の制限板２２を通過した蒸着粒子４０１に対し、第２の制限板３２の配設方向（つまり、Ｙ軸方向および斜め方向）への蒸着粒子４０１の移動を制限する。
【００６６】
これにより、第１の制限板ユニット２０および第２の制限板ユニット３０は、蒸着マスク４０のマスク開口４１に入射する蒸着粒子４０１の入射角を一定範囲内に制限し、被成膜基板２００に対する斜め方向からの蒸着粒子４０１の付着を防止する。
【００６７】
なお、本実施の形態では、第１の制限板２２は、それぞれ、同一寸法の板状部材で形成されている。また、第２の制限板３２も、それぞれ、同一寸法の板状部材で形成されている。但し、第１の制限板２２と第２の制限板３２とは、同じ寸法を有している必要はない。
【００６８】
第１の制限板２２と第２の制限板３２とは、同一ＹＺ面で平行にならないように設置されており、蒸着マスク４０の主面に垂直な方向から見たときに互いに異なる方向に延設されている。
【００６９】
第１の制限板２２は、蒸着マスク４０の主面に垂直な方向から見たときに、それぞれＹ軸に平行に延設されており、それぞれ同一ピッチでＸ軸方向に互いに平行に複数配列されている。これにより、蒸着マスク４０の主面に垂直な方向（つまり、Ｚ軸に平行な方向）から見たとき、Ｘ軸方向に隣り合う第１の制限板２２間に、それぞれ、開口領域として、制限板開口２３が１つ形成されている。
【００７０】
なお、本実施の形態では、第１の制限板２２は、蒸着源１０の射出口１１が、各制限板開口２３に対応するように配置されている。射出口１１のＸ軸方向位置は、隣り合う第１の制限板２２のＸ軸方向の中央位置に位置している。また、制限板開口２３のピッチは、マスク開口４１のピッチよりも大きく形成されており、蒸着マスク４０の主面に垂直な方向から見たとき、Ｘ軸方向に隣り合う第１の制限板２２間には、複数のマスク開口４１が配されている。
【００７１】
一方、第２の制限板３２は、蒸着マスク４０の主面に垂直な方向から見たときに、それぞれＸ軸に平行に延設されており、それぞれ同一ピッチで互いに平行にＹ軸方向（第２の方向、走査方向）に複数配列されている。これにより、蒸着マスク４０の主面に垂直な方向から見たとき、Ｙ軸方向に隣り合う第２の制限板３２間に、それぞれ、開口領域として、制限板開口３３が１つ形成されている。
【００７２】
第１の制限板２２は、ＹＺ平面が主面となっている。一方、第２の制限板３２は、ＸＺ平面が主面となっている。
第１の制限板２２および第２の制限板３２は、それぞれ、蒸着マスク４０の主面に対して垂直となるように配されている。つまり、第１の制限板２２および第２の制限板３２は、それぞれ、その主面である表裏面が、被成膜基板２００の被蒸着面２０１に垂直な方向を向くように配されている。このため、第１の制限板２２は、それぞれの主面がＸ軸方向に隣り合うように配されており、第２の制限板３２は、それぞれの主面がＹ軸方向に隣り合うように配されている。
【００７３】
本実施の形態では、第１の制限板２２および第２の制限板３２は、それぞれ、例えば長方形状に形成されている。第１の制限板２２および第２の制限板３２は、それぞれ、その短軸がＺ軸方向に平行になるように垂直に配されている。このため、第１の制限板２２は、その長軸がＹ軸方向に平行に配されており、第２の制限板３２は、その長軸がＸ軸方向に平行に配されている。
【００７４】
＜蒸着ボケの抑制効果＞
次に、上記蒸着ユニット１による蒸着ボケの抑制効果について、図１〜図３を参照して以下に説明する。
【００７５】
図２は、蒸着マスク４０の主面に垂直な方向から見たときの第１の制限板２２および第２の制限板３２を、高レート時に第１の制限板２２を通過した蒸着粒子４０１と併せて模式的に示す要部平面図である。
【００７６】
図１および図２に示すように、本実施の形態では、第１の制限板２２と第２の制限板３２の軸方向が垂直になるように第１の制限板２２と第２の制限板３２とを配設したことで、蒸着マスク４０の主面に垂直な方向から見たときに、第２の制限板３２が、Ｙ軸方向に非平行であり、Ｙ軸方向に対して交差する方向に延設されている。より厳密には、蒸着マスク４０の主面に垂直な方向から見たときの第２の制限板３２の端面３２ａが、第１の制限板列２１における、蒸着マスク４０の主面に垂直な方向から見たときの第１の制限板２２の端面２２ａおよび第１の制限板２２間の制限板開口３３と交差している。なお、ここで、蒸着マスク４０の主面に垂直な方向から見たときの第１の制限板２２の端面２２ａとは、第１の制限板２２における主面以外の面のうち、蒸着マスク４０の主面に垂直な方向から見たときの面（例えば、図１における第１の制限板２２の上面または下面）を示す。同様に、蒸着マスク４０の主面に垂直な方向から見たときの第２の制限板３２の端面３２ａとは、第２の制限板３２における主面以外の面のうち、蒸着マスク４０の主面に垂直な方向から見たときの面（例えば、図１における第２の制限板３２の上面または下面）を示す。
【００７７】
蒸着源１０の射出口１１から射出された蒸着粒子４０１は、蒸着流として等方的に広がる。このように等方分布を有する蒸着流は、まず、図１に示すように、第１の制限板２２によって指向性の悪い蒸着成分がカット（捕捉）され、指向性の高い分布に制御される。
【００７８】
制御された蒸着流は、蒸着速度が高い場合、その高い運動エネルギーに起因して生じる蒸着粒子４０１間の衝突・散乱のため、第１の制限板２２間の制限板開口２３を通過後に、指向性が悪くなる。
【００７９】
指向性が悪くなった蒸着流は、図２に示すように、第２の制限板３２によって再度指向性の悪い蒸着成分がカットされ、指向性の高い分布に制御される。
【００８０】
指向性が高い状態を維持した蒸着流は、蒸着マスク４０のマスク開口４１を通過し、被成膜基板２００に蒸着される。
【００８１】
なお、このとき、本実施の形態では、被成膜基板２００をＹ軸方向に走査することで、蒸着膜４０２の塗り分け層を形成することができる。
【００８２】
このように、本実施の形態によれば、第２の制限板３２の端面３２ａが、第１の制限板列２１における第１の制限板２２の端面２２ａおよび第１の制限板２２間の制限板開口３３のうち少なくとも一方と交差するように、第１の制限板２２の軸方向と第２の制限板３２の軸方向とを垂直にしている。これにより、第１の制限板２２で指向性を向上させた蒸着流が、制限板開口２３を通過後に指向性が悪く（いわゆる等方的な分布化）なったとしても、第２の制限板３２で、指向性の悪い蒸着成分をカットすることができる。
【００８３】
このため、第２の制限板ユニット３０を通過した蒸着粒子４０１は、高指向性を保持した状態で蒸着マスク４０のマスク開口４１を通過し、被成膜基板２００に蒸着される。このため、蒸着ボケを抑制することができ、蒸着ボケが極めて少ない、高精細な蒸着膜パターンを形成することができる。
【００８４】
このため、例えば上記被成膜基板２００が有機ＥＬ基板である場合、蒸着ボケが大幅に抑制されるため、例えば、混色が生じないように発光領域間の非発光領域の幅を大きくする必要がなくなる。よって、高輝度で高精細な表示を実現することができる有機ＥＬ表示装置を製造することができる。また、例えば有機ＥＬ表示装置の輝度を高めるために発光層の電流密度を高くする必要がなくなるので、長寿命を実現でき、信頼性が向上する。
【００８５】
これに対し、蒸着源１０と蒸着マスク４０との間に第１の制限板２２のみが設けられている場合、蒸着ボケの幅を小さくするためには、第１の制限板２２のＸ軸方向の間隔を小さくするか、または、第１の制限板２２の長さを長くする必要がある。
【００８６】
しかしながら、第１の制限板２２のＸ軸方向の間隔を小さくすると、複数の第１の制限板２２の開口率が急激に低下するので、蒸着材料の利用効率が低下する。一方、第１の制限板２２と蒸着マスク４０との間の距離を近づけるために第１の制限板２２のＺ軸方向の長さを長くすると、第１の制限板２２の重量や熱膨張量が大きくなるので、蒸着ボケの幅にバラツキが生じる。また、このように第１の制限板２２のＺ軸方向の長さを長くすると、蒸着粒子の衝突・散乱が複数回生じることで、本来であれば蒸着ボケにならない蒸着成分までカットしてしまうことになる。
【００８７】
しかしながら、本実施の形態によれば、蒸着ユニット１が、Ｚ軸方向に複数段の制限板ユニットを備えていることで、蒸着流の分布に応じて、蒸着ボケを起こす蒸着流の分布のみを、効率的にカットすることができる。このため、制限板のＺ軸方向（被成膜基板２００の法線方向）の長さを長くした場合のように制限板でロスする材料を低減することができる。
【００８８】
なお、Ｚ軸方向に複数段の制限板ユニットを設ける場合、例えば、第１の制限板２２を、Ｚ軸方向に複数段設けることが考えられる。
【００８９】
図３は、第１の制限板２２を、隙間２８を介してＺ軸方向に２段設けた場合の蒸着流の一例を示す断面図である。なお、ここでは、説明の便宜上、下段側の第１の制限板２２を第１の制限板２２Ａと記し、第１の制限板２２Ａ間の制限板開口２３を制限板開口２３Ａと記す。また、上段側の第１の制限板２２を第１の制限板２２Ｂと記し、第１の制限板２２Ｂ間の制限板開口２３を制限板開口２３Ａと記す。
【００９０】
しかしながら、図３に示すように、第１の制限板２２を２段設けた場合、下段側（つまり上流側）の第１の制限板２２Ａ間の制限板開口２３Ａを斜めに出射した蒸着粒子４０１が、隙間２８を通過して、該制限板開口２３Ａの真上に位置する制限板開口２３Ｂ以外の制限板開口２３Ｂを通過して、マスク開口４１に入射する場合がある。
【００９１】
このときに下段側の制限板開口２３Ａを通過した蒸着粒子４０１の飛散の様子を蒸着マスク４０の主面に垂直な方向から見ると、図１６に示す状態と同じになる。
【００９２】
また、図３に示すように、第１の制限板２２を２段設けた場合、指向性の高い蒸着成分や、粒子間の散乱衝突を繰り返すことで指向性の高い成分に変化する指向性の悪い蒸着成分までもカットしてしまう割合が高くなる。このため、蒸着レートが低くなったり、材料利用効率が低下したりする懸念がある。
【００９３】
しかしながら、図２に示すように、第１の制限板２２の上方（つまり、下流側）に、蒸着マスク４０の主面に垂直な方向から見て第１の制限板２２もしくは制限板開口２３に交差するようにＹ軸方向に非平行に配設された第２の制限板３２を設けることで、指向性の悪い蒸着粒子４０１を効果的にカットすることができる。
【００９４】
このように、蒸着レートが高くなると、蒸着流の広がりが大きくなるので、蒸着流の広がりを立体的に絞らなければ、蒸着ボケを解消することはできない。本実施の形態によれば、蒸着ユニット１が、上述したように、第１の制限板ユニット２０とは軸方向が異なる第２の制限板ユニットを、第１の制限板ユニット２０の下流方向に備えていることで、蒸着流の広がりを立体的に絞ることができる。このため、高レート時のような高い運動エネルギーを有する蒸着流を制御することができる。
【００９５】
したがって、本実施の形態によれば、高レート時の蒸着ボケを抑制することができるとともに、従来よりも、材料利用効率を向上させることができ、収率および生産性を向上させることができる。
【００９６】
また、本実施の形態によれば、上述したように、蒸着ユニット１が、Ｚ軸方向に複数段の制限板ユニットを備えているとともに、各制限板ユニットが、複数の制限板を備えていることで、あらゆる基板サイズ、パターンサイズ、材料等に、容易に対応することができる。
【００９７】
なお、第１の制限板２２および第２の制限板３２は、斜めの蒸着成分をカットするため、加熱しないか、図示しない熱交換器により冷却される。このため、第１の制限板２２および第２の制限板３２は、蒸着源１０の射出口１１よりも低い温度（より厳密には、蒸着材料が気体になる蒸着粒子発生温度よりも低い温度）になっている。
【００９８】
このため、第１の制限板ユニット２０および第２の制限板ユニット３０には、必要に応じて、第１の制限板２２および第２の制限板３２を冷却する、図示しない冷却機構が設けられていてもよい。これにより、被成膜基板２００の法線方向に完全に平行にならない不要な蒸着粒子４０１が、第１の制限板２２および第２の制限板３２により冷却され、固化される。これにより、第１の制限板２２および第２の制限板３２で、不要な蒸着粒子４０１を容易に捕捉することができ、蒸着粒子４０１の進行方向を、被成膜基板２００の法線方向に近づけることができる。
【００９９】
＜第１の制限板ユニット２０および第２の制限板ユニット３０の全体構成＞
図４は、第１の制限板ユニット２０および第２の制限板ユニット３０の概略構成の一例を示す斜視図である。
【０１００】
第１の制限板２２は、それぞれ、Ｘ軸方向と平行な一対の第１の保持部材２４とＹ軸方向と平行な一対の第２の保持部材２５とで構成される枠状の保持体２６に、例えば溶接等の方法で一体的に保持されている。
【０１０１】
同様に、第２の制限板３２は、それぞれ、Ｘ軸方向と平行な一対の第１保持部材３４とＹ軸方向と平行な一対の第２保持部材３５とで構成される枠状の保持体３６に、例えば溶接等の方法で一体的に保持されている。
【０１０２】
但し、これら第１の制限板２２および第２の制限板３２の相対的位置や姿勢を一定に維持することができれば、これら第１の制限板２２および第２の制限板３２を保持する方法は、上記の方法に限定されない。
【０１０３】
図５は、第２の制限板ユニット３０の概略構成の他の一例を示す斜視図である。
【０１０４】
図５に示すように、第２の制限板ユニット３０は、互いに離間して設けられた複数の第２の制限板３２を有し、隣り合う第２の制限板３２間にそれぞれ制限板開口３３が設けられた、ブロック状のユニットであってもよい。
【０１０５】
図５に示すように第２の制限板ユニット３０をブロック状に形成することで、第２の制限板ユニット３０への冷却機構の組み込みおよび位置合わせが容易となるとともに、交換作業が容易となる等の利点がある。
【０１０６】
なお、図５では、第２の制限板ユニット３０がブロック状である場合を例に挙げて説明したが、第２の制限板ユニット３０と同様に、第１の制限板ユニット２０もブロック状に形成されていてもよいことは、言うまでもない。
【０１０７】
＜第１の制限板ユニット２０および第２の制限板ユニット３０の配置＞
なお、図１では、蒸着源１０、第１の制限板ユニット２０、第２の制限板ユニット３０、蒸着マスク４０が、Ｚ軸方向に互いに一定距離離間して設けられている場合を例に挙げて図示した。
【０１０８】
このように蒸着源１０、第１の制限板ユニット２０、第２の制限板ユニット３０、蒸着マスク４０が、Ｚ軸方向に互いに一定距離離間して設けられていることで、放熱効果、並びに、隣り合う制限板ユニットに挟まれた空間を所定の真空度に容易に維持することができるという効果が得られる。
【０１０９】
しかしながら、これら蒸着源１０、第１の制限板ユニット２０、第２の制限板ユニット３０、蒸着マスク４０は、Ｚ軸方向に隣り合う、それらの一部、あるいは、全部が、互いに接触（例えば一体化）して設けられていても構わない。
【０１１０】
これら蒸着源１０、第１の制限板ユニット２０、第２の制限板ユニット３０、蒸着マスク４０を、互いに離間または接触させた場合の効果は一長一短である。したがって、所望の効果が得られるように、その配置を適宜選択・設定すればよい。
【０１１１】
本実施の形態では、上述したように蒸着源１０と蒸着マスク４０との間に、第１の制限板ユニット２０および第２の制限板ユニット３０が設けられていることで、その配置によって、以下の効果を得ることができる。
【０１１２】
（第１の制限板２２の上端部と第２の制限板３２の下端部とが密着している場合）
この場合、第１の制限板２２を通過後の低指向性の蒸着粒子４０１を確実に捕捉することができ、蒸着ボケが発生し難いという利点がある。
【０１１３】
また、第１の制限板２２と第２の制限板３２とをピンアライメント等で極めて正確に位置合わせすることができるという利点がある。
【０１１４】
さらに、例えば第１の制限板２２に冷却機構が設けられている場合、第２の制限板３２に別途冷却機構を設けなくても、第２の制限板３２を、第１の制限板２２に設けられた冷却機構を用いて冷却することができるという利点がある。このため、簡素な構成で、捕捉した蒸着粒子４０１の再蒸発を防ぐことができる。
【０１１５】
しかしながら、この場合、第１の制限板２２を通過後、即座に低指向性の蒸着粒子４０１を捕捉する。低指向性の蒸着粒子４０１のなかには、被成膜基板２００への到達までに散乱を繰り返して高指向性化するものもある。このため、この場合、このように被成膜基板２００への到達までに散乱を繰り返して高指向性化する蒸着粒子４０１を利用できなくなる。
【０１１６】
（第１の制限板２２の上端部と第２の制限板３２の下端部とが密着していない場合）
この場合、第１の制限板２２を通過後に低指向性化した蒸着粒子４０１が高指向性化する機会を活かすことができる。このため、材料利用効率の低下を抑制することができるという利点がある。
【０１１７】
しかしながら、その反面、例えば高レート時における運動エネルギーが極めて高く、指向性の低下が極めて大きい場合、第１の制限板２２を通過後の低指向性の蒸着粒子４０１が、第１の制限板２２と第２の制限板３２との間隙を縫って被成膜基板２００に到達し、蒸着ボケを発生させるおそれがある。
【０１１８】
（第２の制限板３２の上端部と蒸着マスク４０とが密着している場合）
この場合、第２の制限板３２と蒸着マスク４０とをピンアライメント等で極めて正確に位置合わせすることができる。このため、第２の制限板３２の上端部と蒸着マスク４０とが密着していない場合と比べて、第２の制限板３２と蒸着マスク４０との位置合わせが容易であるという利点がある。
【０１１９】
一方で、一般的に蒸着マスク４０は薄いため、第２の制限板３２の上端部と蒸着マスク４０とを密着させるときに、蒸着マスク４０に損傷が生じる可能性があるという懸念がある。また、第２の制限板３２の熱履歴が蒸着マスク４０に伝わることで、第２の制限板３２の温度履歴によっては、蒸着マスク４０の精度低下を招くおそれがある。
【０１２０】
（第２の制限板３２の上端部と蒸着マスク４０とが密着していない場合）
この場合、蒸着マスク４０に損傷が生じる懸念はなく、蒸着マスク４０の精度低下は起こらない。
【０１２１】
なお、第１の制限板２２とは異なり、第２の制限板３２のＺ軸方向の長さは、長ければ長いほど低指向性の蒸着粒子４０１を捕捉することができ、蒸着ボケの防止効果が高まる。
【０１２２】
しかしながら、その一方で、第２の制限板３２のＺ軸方向の長さを長くし過ぎると、第２の制限板３２が真空チャンバ等の蒸着室に占める割合が大きくなる。このため、第２の制限板３２に付着する蒸着粒子４０１の量が増大することで、コンタミネーションや再蒸発が懸念され、発光特性が低下するおそれがある。
【０１２３】
また、第２の制限板３２と、第１の制限板２２および蒸着マスク４０の少なくとも一方とを密着させると、一つの空間が形成されてしまうことから、第２の制限板３２の長さによっては、上記空間の真空度を高めることが困難になり、却って粒子間散乱が増強され易くなるおそれがある。この傾向は、第２の制限板３２がＺ軸方向に長ければ長いほど顕著になる。特に、第２の制限板３２が第１の制限板２２と蒸着マスク４０との両者に密着している場合、上記問題を招来し易くなる。このため、Ｚ軸方向に長い第２の制限板３２を用いる場合には、第２の制限板３２と第１の制限板２２および蒸着マスク４０とは、ある程度離間して設けられていることが望ましい。
【０１２４】
＜蒸着装置の概略構成＞
次に、図６を参照して、上記蒸着ユニット１を用いた蒸着装置１００の一例について説明する。
【０１２５】
図６は、本実施の形態にかかる蒸着装置１００における要部の概略構成を模式的に示す断面図である。なお、図６は、本実施の形態にかかる蒸着装置１００におけるＸ軸方向に平行な断面を示している。
【０１２６】
図６に示すように、本実施の形態にかかる蒸着装置１００は、真空チャンバ１０１（成膜チャンバ）、基板ホルダ１０２（基板保持部材）、基板移動装置１０３、蒸着ユニット１、蒸着ユニット移動装置１０４、イメージセンサ１０５等のアライメント観測手段、および、図示しないシャッタや、蒸着装置１００を駆動制御するための図示しない制御回路等を備えている。
【０１２７】
そのうち、基板ホルダ１０２、基板移動装置１０３、蒸着ユニット１、蒸着ユニット移動装置１０４は、真空チャンバ１０１内に設けられている。
【０１２８】
なお、真空チャンバ１０１には、蒸着時に該真空チャンバ１０１内を真空状態に保つために、該真空チャンバ１０１に設けられた図示しない排気口を介して真空チャンバ１０１内を真空排気する図示しない真空ポンプが設けられている。
【０１２９】
＜基板ホルダ１０２＞
基板ホルダ１０２は、被成膜基板２００を保持する基板保持部材である。基板ホルダ１０２は、ＴＦＴ基板等からなる被成膜基板２００を、その被蒸着面２０１が、蒸着ユニット１における蒸着マスク４０に面するように保持する。
【０１３０】
被成膜基板２００と蒸着マスク４０とは、一定距離離間して対向配置されており、被成膜基板２００と蒸着マスク４０との間には、一定の高さの空隙が設けられている。
【０１３１】
基板ホルダ１０２には、例えば静電チャック等が使用されることが好ましい。被成膜基板２００が基板ホルダ１０２に静電チャック等の手法で固定されていることで、被成膜基板２００は、自重による撓みがない状態で基板ホルダ１０２に保持される。
【０１３２】
＜基板移動装置１０３および蒸着ユニット移動装置１０４＞
本実施の形態では、基板移動装置１０３および蒸着ユニット移動装置１０４の少なくとも一方により、被成膜基板２００と、蒸着ユニット１とを、Ｙ軸方向が走査方向となるように相対的に移動させてスキャン蒸着を行う。
【０１３３】
基板移動装置１０３は、例えば図示しないモータを備え、図示しないモータ駆動制御部によってモータを駆動させることで、基板ホルダ１０２に保持された被成膜基板２００を移動させる。
【０１３４】
また、蒸着ユニット移動装置１０４は、例えば図示しないモータを備え、図示しないモータ駆動制御部によってモータを駆動させることで、蒸着ユニット１を、被成膜基板２００に対して相対移動させる。
【０１３５】
また、これら基板移動装置１０３および蒸着ユニット移動装置１０４は、例えば図示しないモータを駆動させることにより、蒸着マスク４０の非開口領域に設けられたアライメントマーカ４２および被成膜基板２００における非蒸着領域に設けられたアライメントマーカ２０２により、蒸着マスク４０と被成膜基板２００との位置ズレが解消されるように位置補正を行う。
【０１３６】
これら基板移動装置１０３および蒸着ユニット移動装置１０４は、例えば、ローラ式の移動装置であってもよく、油圧式の移動装置であってもよい。
【０１３７】
これら基板移動装置１０３および蒸着ユニット移動装置１０４は、例えば、ステッピングモータ（パルスモータ）等のモータ（ＸＹθ駆動モータ）、コロ、およびギヤ等で構成される駆動部と、モータ駆動制御部等の駆動制御部とを備え、駆動制御部により駆動部を駆動させることで、被成膜基板２００または蒸着ユニット１を移動させるものであってもよい。また、これら基板移動装置１０３および蒸着ユニット移動装置１０４は、ＸＹＺステージ等からなる駆動部を備え、Ｘ軸方向、Ｙ軸方向、Ｚ軸方向の何れの方向にも移動自在に設けられていてもよい。
【０１３８】
但し、被成膜基板２００および蒸着ユニット１は、その少なくとも一方が相対移動可能に設けられていればよい。言い換えれば、基板移動装置１０３および蒸着ユニット移動装置１０４は、その少なくとも一方が設けられていればよい。
【０１３９】
例えば被成膜基板２００が移動可能に設けられている場合、蒸着ユニット１は、真空チャンバ１０１の内壁に固定されていてもよい。逆に、蒸着ユニット１が移動可能に設けられている場合、基板ホルダ１０２は、真空チャンバ１０１の内壁に固定されていても構わない。
【０１４０】
＜蒸着ユニット１＞
蒸着ユニット１は、蒸着源１０、第１の制限板ユニット２０、第２の制限板ユニット３０、蒸着マスク４０、ホルダ５０、防着板６０、および図示しないシャッタ等を備えている。なお、蒸着源１０、第１の制限板ユニット２０、第２の制限板ユニット３０、蒸着マスク４０については、既に説明したため、ここでは、その説明を省略する。
【０１４１】
（ホルダ５０）
ホルダ５０は、蒸着源１０、第１の制限板ユニット２０、第２の制限板ユニット３０、蒸着マスク４０を保持する保持部材である。
【０１４２】
ホルダ５０には、例えば、第１の制限板ユニット２０および第２の制限板ユニット３０を支持するために、それぞれに対応して、例えば一対のスライド装置５１や支持部材５２が備えられている。
【０１４３】
スライド装置５１は、ホルダ５０のＸ軸方向両端部にそれぞれ対向して配設される。また、支持部材５２は、各スライド装置５１の対向面側に設けられている。これら支持部材５２は、互いに対向した状態でＺ軸方向やＸ軸方向にスライド変位可能であり、スライド装置５１や図示しない制限板制御装置との協働によって、その動きが制御されている。
【０１４４】
また、第１の制限板ユニット２０は、例えば、前述したように枠状の保持体２６を備えている。第２の制限板ユニット３０は、例えば、前述したように枠状の保持体３６を備えている。
【０１４５】
枠状の保持体２６におけるＸ軸方向の両端部には、支持部材５２に脱着可能に設けられた支持部２７がそれぞれ設けられている。また、枠状の保持体３６におけるＸ軸方向の両端部には、支持部材５２に着脱可能に設けられた支持部３７がそれぞれ設けられている。これにより、第１の制限板ユニット２０および第２の制限板ユニット３０はホルダ５０から着脱が可能であり、これら第１の制限板ユニット２０および第２の制限板ユニット３０に堆積した蒸着材料を定期的に回収することができるようになっている。
【０１４６】
なお、蒸着材料は加熱すれば溶融または蒸発するため、加熱処理することによって容易に回収することができる。蒸着マスク４０は、その開口幅や平面度等、求められる寸法精度が高いため、歪みを招くおそれがあり、加熱処理を行うことができない。しかしながら、第１の制限板ユニット２０および第２の制限板ユニット３０には、蒸着マスク４０ほどの高度な寸法精度は求められないため、加熱処理が可能であり、堆積した蒸着材料を簡単に回収することができる。従って、高い材料の利用効率を確保することができる。
【０１４７】
また、蒸着ユニット１には、例えばホルダ５０に、蒸着マスク４０にテンションをかけるテンション機構５３が設けられていることが望ましい。これにより、蒸着マスク４０にテンションをかけた状態で蒸着マスク４０を水平に保持することができ、蒸着マスク４０と、蒸着源１０、第１の制限板ユニット２０、および第２の制限板ユニット３０との相対的な位置関係を固定することができる。
【０１４８】
＜防着板６０＞
上記蒸着装置１００において、蒸着源１０から飛散した蒸着粒子４０１は、蒸着マスク４０内に飛散するように調整されており、蒸着マスク４０外に飛散する蒸着粒子は、防着板６０（遮蔽板）等で適宜除去される構成としてもよい。
【０１４９】
＜シャッタ＞
被成膜基板２００の方向に蒸着粒子を飛来させないときには、図示しないシャッタを用いて、蒸着粒子４０１の蒸着マスク４０への到達を制御することが望ましい。
【０１５０】
このため、例えば蒸着源１０と第１の制限板ユニット２０との間には、蒸着粒子４０１の蒸着マスク４０への到達を制御するために、必要に応じて、図示しないシャッタが、蒸着ＯＦＦ（オフ）信号もしくは蒸着ＯＮ（オン）信号に基づいて進退可能（挿抜可能）に設けられていてもよい。
【０１５１】
蒸着源１０と第１の制限板ユニット２０との間にシャッタを適宜差し挟むことで、蒸着を行わない非蒸着領域への蒸着を防止することができる。なお、シャッタは、蒸着源１０と一体的に設けられていてもよく、蒸着源１０とは別に設けられていても構わない。
【０１５２】
＜変形例＞
（第２の制限板ユニット３０）
図７は、本実施の形態にかかる制限板ユニットの他の概略構成を示す要部平面図であり、蒸着マスク４０の主面に垂直な方向から見たときの第１の制限板２２および第２の制限板３２を、高レート時に第１の制限板２２を通過した蒸着粒子４０１と併せて模式的に示している。
【０１５３】
上述したように、第１の制限板２２を通過後に等方化した蒸着流は、第２の制限板３２によってカットされ、指向性を有した状態で蒸着マスク４０のマスク開口４１を通過し、被成膜基板２００に蒸着されることで蒸着ボケを抑制することができる。
【０１５４】
図１および図６では、第２の制限板３２がＸ軸方向に連続している場合を例に挙げて説明したが、第２の制限板３２は、Ｘ軸方向に断続して形成されていてもよい。すなわち、不連続であってもよい。この場合、不連続箇所を、Ｘ軸における特定の位置で合わせる必要はなく、不連続箇所の長さも合わせる必要はない。不連続箇所の位置は、例えば、使用する蒸着源１０の射出口１１の配置（ノズル分布）や蒸着分布に合わせて適宜決定すればよい。
【０１５５】
第２の制限板３２がＸ軸方向に連続して設ける場合、第２の制限板３２の配設を容易に行うことができるという利点がある。一方で、上述したように第２の制限板３２をＸ軸方向に断続して形成することで、小型の部品の組合せで第２の制限板３２を構成できるので、制限板交換等のメンテナンスやノズル分布・蒸着分布に応じた細かな調整が可能となるという利点がある。
【０１５６】
（蒸着ユニットの配置方向）
図１では、蒸着源１０が被成膜基板２００の下方に配されており、被成膜基板２００が、その被蒸着面２０１が下方を向いている状態で、蒸着源１０から蒸着粒子４０１を上方に向かって射出して被成膜基板２００に蒸着（アップデポジション）させる場合を例に挙げて示している。
【０１５７】
しかしながら、上記蒸着方法はこれに限定されるものではなく、蒸着源１０を、被成膜基板２００の上方に設け、蒸着源１０から蒸着粒子４０１を下方に向かって射出して被成膜基板２００に蒸着（ダウンデポジション）させてもよい。
【０１５８】
したがって、この場合、蒸着源１０、第１の制限板ユニット２０、第２の制限板ユニット３０、蒸着マスク４０、被成膜基板２００の配置は、図１および図６に示す例とは逆になる。
【０１５９】
また、蒸着源１０は、例えば、横方向に向けて蒸着粒子４０１を射出する機構を有し、被成膜基板２００の被蒸着面２０１側が蒸着源１０側を向いて垂直方向に立てられている状態で、蒸着粒子４０１を横方向に射出して被成膜基板２００に蒸着（サイドデポジション）させてもよい。この場合、蒸着源１０、第１の制限板ユニット２０、第２の制限板ユニット３０、蒸着マスク４０、被成膜基板２００の配置は、図１および図６に示す例を、左右の何れかの方向に９０度回転させた配置となる。
【０１６０】
（その他の変形例）
なお、本実施の形態では、第１の制限板２２および第２の制限板３２が蒸着マスク４０の主面に垂直に設けられている場合を例に挙げて説明したが、第１の制限板２２および第２の制限板３２の主面がＺ軸方向に対して傾斜して設けられていても構わない。
【０１６１】
しかしながら、配置が容易であり、かつ、指向性が高い蒸着粒子をカットするおそれがないことから、上記第１の制限板２２および第２の制限板３２は、それぞれ、蒸着マスク４０の主面に垂直に設けられていることが好ましい。
【０１６２】
〔実施の形態２〕
本実施の形態について図８ないし図１１の（ａ）〜（ｃ）に基づいて説明すれば、以下の通りである。
【０１６３】
なお、本実施の形態では、主に、実施の形態１との相違点について説明するものとし、実施の形態１で用いた構成要素と同一の機能を有する構成要素には同一の番号を付し、その説明を省略する。
【０１６４】
蒸着粒子４０１の衝突・散乱による指向性の低下が軽微な場合においては、実施の形態１に示す第２の制限板ユニット３０を配置することで、十分蒸着ボケを抑制することができる。
【０１６５】
しかしながら、指向性の低下が極めて大きい場合、実施の形態１に示す第２の制限板ユニット３０では、蒸着ボケの抑制が十分とは言い難い。
【０１６６】
これは、蒸着粒子４０１は、指向性が低下するほどＸ軸に漸近して飛ぶ傾向があり、実施の形態１に示す第２の制限板ユニット３０では、Ｘ軸に漸近するような蒸着粒子４０１をカットすることができないためである。
【０１６７】
このため、指向性の低下が極めて大きい場合、指向性が低い蒸着粒子４０１を第２の制限板３２で捕捉するには、第２の制限板３２がＸ軸に漸近するように設けられていることが望ましい。
【０１６８】
図８は、本実施の形態にかかる蒸着装置１００における蒸着ユニット１の要部の概略構成を、被成膜基板２００と併せて示す斜視図である。また、図９は、蒸着マスク４０の主面に垂直な方向から見たときの第１の制限板２２および第２の制限板３２を、高レート時に第１の制限板２２を通過した蒸着粒子４０１と併せて模式的に示す要部平面図である。
【０１６９】
図８および図９に示すように、本実施の形態にかかる蒸着ユニット１は、蒸着マスク４０の主面に垂直な方向から見たときに、第２の制限板３２、より厳密には、第２の制限板３２の端面３２ａが、屈曲形状を有しているとともに、それぞれ同一ピッチでＸ軸方向に互いに平行に複数配列されており、Ｘ軸方向に隣り合う第２の制限板３２間に屈曲形状を有する制限板開口３３が形成されている点を除けば、実施の形態１にかかる蒸着ユニット１と同様の構成を有している。
【０１７０】
本実施の形態にかかる蒸着ユニット１は、実施の形態１同様、第１の制限板２２と第２の制限板３２とが、同一ＹＺ面で平行にならないように設置されており、蒸着マスク４０の主面に垂直な方向から見たときに、第２の制限板３２が、Ｙ軸方向に非平行であり、Ｙ軸方向に対して交差する方向に延設されている。
【０１７１】
このため、本実施の形態でも、第１の制限板ユニット２０を通過後に等方化した蒸着流を第２の制限板ユニット３０でカットすることができる。このため、指向性を有した状態で蒸着マスク４０のマスク開口４１を通過した蒸着粒子４０１が被成膜基板２００に蒸着されるので、蒸着ボケを抑制することができる。
【０１７２】
しかしながら、本実施の形態では、第２の制限板３２が屈曲していることで、第２の制限板３２が、Ｘ軸方向に漸近してＹ軸方向に連続して設けられている。
【０１７３】
このため、Ｘ軸方向に漸近している蒸着粒子４０１についてもカットすることができ、第１の制限板２２の軸方向と第２の制限板３２の軸方向とを垂直にするだけでは対応できない、より高レートで運動エネルギーの高い蒸着流に対しても、その飛散を制限することができる。このため、蒸着粒子４０１の衝突・散乱による指向性の低下が極めて大きい場合であっても、蒸着ボケを抑制することができる。
【０１７４】
＜変形例＞
図１０の（ａ）〜（ｌ）は、本実施の形態にかかる制限板ユニットの他の概略構成を示す要部平面図であり、それぞれ、蒸着マスク４０の主面に垂直な方向から見たときの第１の制限板２２および第２の制限板３２を模式的に示している。
【０１７５】
図８および図９では、屈曲形状を有する第２の制限板３２の一例として、第２の制限板３２が、蒸着マスク４０の主面に垂直な方向から見たときに、＞形状（つまり、走査方向に垂直な方向に開口するＶ字状）を有している場合を例に挙げて図示した。
【０１７６】
しかしながら、屈曲点の数は、図８および図９に示すように１つである必要はなく、図１０の（ａ）・（ｂ）に示すように複数設けられていてもよい。したがって、第２の制限板３２は、それぞれがジグザグ形状を有していてもよく、複数の制限板３２が、ジグザグ状に配置されていてもよい。
【０１７７】
屈曲点の数が多いほど、第２の制限板３２でカットされる指向性の悪い蒸着成分（蒸着粒子４０１）が多くなるため、蒸着ボケがより改善される。
【０１７８】
また、図９および図１０の（ａ）・（ｂ）では、第１の制限板２２間の制限板開口２３上にのみ第２の制限板３２が設けられている場合を例に挙げて図示したが、第２の制限板３２は、実施の形態１にかかる第２の制限板３２同様、例えば図１０の（ｃ）に示すように、複数の第１の制限板２２を跨ぐようにＸ軸方向に連続して設けられていてもよい。この場合、例えば、第２の制限板３２が、第１の制限板列２１の端部にのみ屈曲点を有するように、複数の第１の制限板２２を跨いで第１の制限板列２１の全域に渡って形成されていてもよい。
【０１７９】
また、第２の制限板３２は、図１０の（ｄ）および図１０の（ｅ）に示すように、蒸着マスク４０の主面に垂直な方向から見たときに、第１の制限板２２の真上にのみ設けられていてもよい。このとき、第２の制限板３２は、例えば図１０の（ｄ）に示すように、蒸着マスク４０の主面に垂直な方向から見て、例えば第１の制限板２２の端から端まで設けられていてもよく、あるいは、部分的に設けられていてもよい。例えば、第２の制限板３２は、第１の制限板２２における、或る領域にのみ設けられていてもよい。
【０１８０】
例えば、射出口１１の近傍上方は、蒸着密度が高く、蒸着粒子４０１の衝突が多いので、指向性が悪くなり易い。一方、射出口１１から遠ざかると、蒸着密度が低くなるため、指向性が悪くなり難い。
【０１８１】
このため、第２の制限板３２は、例えば、図１０の（ｅ）に示すように、第１の制限板２２の真上における、射出口１１の上方の近傍部分（例えば、蒸着マスク４０の主面に垂直な方向から見たときに、Ｘ軸方向に並ぶ帯状の射出口１１列が第１の制限板２２と交差（重畳）する領域、あるいは、該領域とその近傍部分の領域）にのみ設けられていてもよい。なお、射出口１１は、第１の制限板２２間の制限板開口２３の中心部分に設けられることから、この場合、第２の制限板３２は、例えば、図１０の（ｅ）に示すように、第１の制限板２２の中心部分の領域にのみ設けられていてもよい。
【０１８２】
なお、図１０の（ｆ）に示すように、第２の制限板３２が、第１の制限板２２間の制限板開口２３上における、射出口１１の上方の近傍部分のみ設けられていてもよいことは言うまでもないし、第２の制限板３２が、図１０の（ｅ）に示す部分と図１０の（ｆ）に示す部分の両方の部分にのみ設けられていてもよいことは、なおさら言うまでもない。すなわち、第２の制限板３２は、図１０の（ｅ）および図１０の（ｆ）に示すように射出口１１の近傍の上方部分にのみ設けられていてもよい。
【０１８３】
さらに言えば、第２の制限板３２は、例えば、図１０の（ｅ）および図１０の（ｇ）に示すように、第１の制限板３２上に、第２の制限板３２が部分的に集中して設けられている領域と、第２の制限板３２が設けられていないかあるいは配設間隔が大きい領域とがあってもよく、配設間隔に疎密があってもよい。
【０１８４】
このように、第２の制限板ユニット３０は、蒸着マスク４０の主面に垂直な方向から見たときに、第２の制限板３２の端面３２ａが、第１の制限板列２１における第１の制限板２２の端面２２ａおよび第１の制限板２２間の制限板開口２３の少なくとも一方と交差していればよい。すなわち、蒸着マスク４０の主面に垂直な方向から見たときに、上記第２の制限板３２（第２の制限板３２の端面３２ａ）が、第１の制限板２２の端面２２ａの延設方向および第１の制限板２２間の制限板開口２３の延設方向（開口長方向）であるＹ軸方向に交差する方向に延設されていればよい。
【０１８５】
そのようなパターンのなかでも、第１の制限板２２間の制限板開口２３を、Ｘ軸方向とは異なる方向に分断するように、蒸着マスク４０の主面に垂直な方向から見たときに、第２の制限板３２の端面３２ａが、少なくとも、第１の制限板２２間の制限板開口２３と交差していることが、より望ましい。
【０１８６】
なお、図９および図１０の（ａ）〜（ｆ）では、Ｘ軸に対して第２の制限板３２の屈曲線が対称である場合を例に挙げて図示したが、本実施の形態は、これに限定されるものではない。例えば、図１０の（ｇ）に示すように、屈曲線の長さにばらつきがあってもよい。また、後述するように屈曲線の角度（屈曲角度）にばらつきがあってもよい。
【０１８７】
図１１の（ａ）〜（ｃ）は、第２の制限板３２の他のパターン例を示す平面図である。
【０１８８】
図１１の（ａ）は、第２の制限板３２の他のパターンとして、屈曲点毎に屈曲角度が異なる場合を例に挙げて示している。また、図１１の（ｂ）・（ｃ）は、他のパターンにおける第２の制限板３２の屈曲角度と蒸着粒子４０１の指向性との関係を示している。
【０１８９】
なお、図１１の（ａ）中、Ａ°、Ｂ°、Ｃ°で示す、第２の制限板３２の屈曲角度の関係は、図１１の（ａ）に示すように、Ｂ°＞Ａ°＞Ｃ°である。
【０１９０】
第２の制限板３２は、それぞれ図１１の（ａ）に示す形状を有していてもよく、複数の第２の制限板が、図１１の（ａ）に示す形状に配置されていてもよい。
【０１９１】
上記屈曲角度は、蒸着源１０における射出口１１の配置（ノズル分布）や蒸着分布に応じて決定すればよい。
【０１９２】
上述したように、蒸着粒子４０１の飛び方は、指向性が低下するほどＸ軸に漸近する。逆に指向性が高い場合は、Ｙ軸に漸近して蒸着粒子４０１が飛ぶ。したがって、指向性の低下が極めて大きい場合、指向性が低い蒸着粒子４０１を第２の制限板３２で捕捉するには、屈曲線がＸ軸に漸近すればするほど望ましい。一方、指向性が高いほど、第２の制限板３２のＸ軸に対する角度を大きくする（つまり、Ｘ軸に対して９０度に近づける）ことができる。
【０１９３】
このため、例えば、指向性があまり悪くならない領域では屈曲角度を相対的に大きくし、指向性が悪くなる領域では屈曲角度を相対的に小さくする等すればよい。
【０１９４】
前述したように、射出口１１の近傍上方は指向性が悪くなり易く、射出口１１から遠ざかると指向性が悪くなり難い。このため、例えば図１１の（ｂ）・（ｃ）に示すように、蒸着マスク４０の主面に垂直な方向から見たときに、一点鎖線で示す、相対的に射出口１１に近い領域Ｐ１（例えば制限板開口２３の中心部の上方の領域）では屈曲角度を相対的に小さくし、二点鎖線で示す、相対的に射出口１１から遠い領域Ｐ２・Ｐ３（例えば制限板開口２３のＹ軸方向両端部側の上方の領域）では、屈曲角度を相対的に大きくしてもよい。また、図１１の（ｃ）に示すように、蒸着マスク４０の主面に垂直な方向から見たときに、射出口１１から遠ざかるほど（つまり、射出口１１そのものあるいは射出口１１の中心から、Ｙ軸方向に遠ざかるほど）屈曲角度が大きくなるように第２の制限板３２を設計もしくは配置してもよい。
【０１９５】
なお、上記第２の制限板３２は、領域Ｐ１〜Ｐ３で一体的に設けられて入れもよく、それぞれ個別に設けられていてもよい。また、領域Ｐ１〜Ｐ３の第２の制限板３２をそれぞれ個別に設ける場合、第２の制限板３２は、それ自体が屈曲形状を有していてもよく、平坦状の第２の制限板３２を組み合わせることで、蒸着マスク４０の主面に垂直な方向から見たときに、複数の第２の制限板３２がジグザグ状に配置された構成を有していてもよい。このことは、上記説明において、「屈折角度」を、「配設密度」と読み替える一方、「屈折角度を（相対的に）大きく」を「配設密度を（相対的に）低く」と読み替え、「屈折角度を（相対的に）小さく」を「配設密度を（相対的に）高く」と読み替えることができることを意味する。
【０１９６】
つまり、図１１の（ｂ）に示す構成は、蒸着マスク４０の主面に垂直な方向から見たときに、相対的に射出口１１に近い領域Ｐ１では第２の制限板３２の配設密度を相対的に高くし、相対的に射出口１１から遠い領域Ｐ２・Ｐ３では、配設密度を相対的に低くすると見ることができる。また、図１１の（ｃ）に示す構成は、蒸着マスク４０の主面に垂直な方向から見たときに、射出口１１から遠ざかるほど配設密度が低くなるように第２の制限板３２を配置すると見ることができる。
【０１９７】
このような構成とすることで、指向性が高い蒸着粒子４０１はカットしないか、もしくはカットを抑制し、指向性が悪い、Ｘ軸方向に漸近して飛散するような蒸着粒子４０１を、効率良くカットすることができる。
【０１９８】
なお、図１１の（ｂ）では、第２の制限板３２が、第１の制限板２２間の制限板開口２３内に屈曲点を有している場合を例に挙げて図示したが、屈曲点は、制限板開口２３外、例えば、第１の制限板２２の端面２２ａ上にあってもよいことは、言うまでもない。また、上記屈曲点が制限板開口２３内にあるか否かに拘らず、第２の制限板３２が、複数の第１の制限板２２を跨いで設けられていてもよいことも、言うまでもない。
【０１９９】
このように、蒸着マスク４０の主面に垂直な方向から見たときに、第２の制限板３２の端面３２ａは、屈曲点の位置によって、異なる屈曲角度を有していてもよい。
【０２００】
また、第２の制限板３２は、図１０の（ｈ）・（ｉ）に示すように、交差して設けられていてもよい。なお、この場合にも、図１０の（ｈ）・（ｉ）に示すように、第２の制限板ユニット３０は、蒸着マスク４０の主面に垂直な方向から見たときに、第２の制限板３２の端面３２ａが、第１の制限板列２１における第１の制限板２２の端面２２ａおよび第１の制限板２２間の制限板開口２３の少なくとも一方と交差していればよい。
【０２０１】
図１０の（ｈ）・（ｉ）に示すように、第２の制限板３２がそれぞれ交差部を有するように形成されていることで、第２の制限板３２でカットされる指向性の悪い蒸着成分が多くなるため、蒸着ボケがさらに改善される。
【０２０２】
また、第２の制限板３２は、図１０の（ｊ）に示すように、それぞれＹ軸方向に離間して互いに非平行に配されていてもよい。このように、第２の制限板３２は、連続体を形成していなくてもよい。この場合にも、蒸着マスク４０の主面に垂直な方向から見たときに、第２の制限板３２を、Ｘ軸に漸近するように設けることで、第１の制限板ユニット２０を通過した指向性が低い蒸着粒子４０１を、第２の制限板３２で効率的に捕捉することができる。
【０２０３】
この場合、小型の部品の組合せで第２の制限板３２を構成できるので、制限板交換等のメンテナンスやノズル分布・蒸着分布に応じた細かな調整が可能となる。
【０２０４】
また、第２の制限板３２は、湾曲していてもよいし、波打っていてもよい。このようにすることで、第２の制限板３２を形成するための材料選択性を広げることができる。
【０２０５】
また、図１０の（ｋ）・（ｌ）に示すように、第２の制限板３２は、Ｘ軸に漸近するように設けられていれば、それぞれＹ軸方向に離間して互いに平行に配されていてもよい。このとき、図１０の（ｋ）に示すように全ての第２の制限板３２が平行に配されている必要は必ずしもない。例えば、図１０の（ｌ）に示すように、１つの第２の制限板列３１内（すなわち、同じ第２の制限板列３１内）では第２の制限板３２が互いに平行に配されているけれども、Ｘ軸方向に隣り合う第２の制限板列３１間では、互いに異なる方向に第２の制限板３２が配されていてもよい。つまり、或る第２の制限板列３１と該第２の制限板列３１に隣り合う第２の制限板列３１とで第２の制限板３２の向きが互いに一致している必要は必ずしもない。また、図１０の（ｋ）・（ｌ）に示すように、１つの第２の制限板列３１内の第２の制限板３２のピッチは、一定であってもよく、部分的に異なっていてもよい。何れの場合にも上述した効果が得られることは、言うまでもない。
【０２０６】
また、上述したように第２の制限板３２のピッチを変更する場合、前述したように、蒸着マスク４０の主面に垂直な方向から見たときに、第２の制限板３２の配設密度が、相対的に射出口１１に近い領域では相対的に高く、相対的に射出口１１から遠い領域では相対的に低くなるように、第２の制限板３２のピッチを、相対的に射出口１１に近い領域では相対的に小さく、相対的に射出口１１から遠い領域では相対的に大きく設計してもよい。
【０２０７】
実施の形態１も含め、第２の制限板３２の配設密度を上述したように設定することで、指向性が高い蒸着粒子４０１はカットしないか、もしくはカットを抑制し、指向性が悪い蒸着粒子４０１を、効率良くカットすることができる。
【０２０８】
〔実施の形態３〕
本実施の形態について図１２および図１３に基づいて説明すれば、以下の通りである。
【０２０９】
なお、本実施の形態では、主に、実施の形態１、２との相違点について説明するものとし、実施の形態１、２で用いた構成要素と同一の機能を有する構成要素には同一の番号を付し、その説明を省略する。
【０２１０】
図１２は、本実施の形態にかかる蒸着装置１００における蒸着ユニット１の要部の概略構成を、被成膜基板２００と併せて示す斜視図である。
【０２１１】
また、図１３は、本実施の形態にかかる制限板ユニットの概略構成を示す要部平面図であり、蒸着マスク４０の主面に垂直な方向から見たときの第１の制限板２２、第２の制限板３２、第３の制限板７２を模式的に示している。
【０２１２】
図１２および図１３に示すように、本実施の形態にかかる蒸着ユニット１は、第２の制限板ユニット３０と蒸着マスク４０との間に、第２の制限板ユニット３０を通過した蒸着粒子４０１の通過角度を制限する第３の制限板ユニット７０をさらに有している点を除けば、実施の形態１にかかる蒸着ユニット１と同様の構成を有している。
【０２１３】
なお、図１２および図１３では、実施の形態１にかかる蒸着ユニット１において、第２の制限板ユニット３０と蒸着マスク４０との間に第３の制限板ユニット７０が設けられている場合を例に挙げて図示しているが、実施の形態２にかかる蒸着ユニット１において、第２の制限板ユニット３０と蒸着マスク４０との間に第３の制限板ユニット７０が設けられていてもよいことは、言うまでもない。
【０２１４】
第３の制限板ユニット７０は、複数の第３の制限板７２からなる第３の制限板列７１Ａ・７１Ｂを備えている。
【０２１５】
第３の制限板列７１Ａ・７１Ｂは、それぞれ、Ｘ軸に沿って配設されており、第３の制限板列７１Ａと第３の制限板列７１Ｂとは、Ｙ軸方向に互いに離間して設けられている。
【０２１６】
これら第３の制限板列７１Ａ・７１Ｂにおいて、第３の制限板７２は、それぞれ同一ピッチでＸ軸方向に複数配列されている。これにより、蒸着マスク４０の主面に垂直な方向から見たとき、Ｘ軸方向に隣り合う第３の制限板７２間に、開口領域として、制限板開口７３が１つ形成されている。
【０２１７】
制限板開口７３のピッチは、マスク開口４１のピッチよりも大きく形成されており、蒸着マスク４０の主面に垂直な方向から見たとき、Ｘ軸方向に隣り合う第３の制限板７２間には、複数のマスク開口４１が配されている。
【０２１８】
第１の制限板２２および第３の制限板７２は、それぞれ、ＹＺ平面が主面となっている。一方、第２の制限板３２は、ＸＺ平面が主面となっている。
第３の制限板７２は、それぞれ、蒸着マスク４０の主面に対して垂直となるように配されている。このため、第３の制限板７２は、それぞれ、その主面である表裏面が、被成膜基板２００の被蒸着面２０１に垂直な方向を向くように配されており、それぞれの主面がＸ軸方向に隣り合うように配されている。
【０２１９】
第３の制限板７２は、第２の制限板３２と同一ＹＺ面で平行にならないように設置されている。
【０２２０】
なお、本実施の形態では、第３の制限板７２は、それぞれ、同一寸法の板状部材で形成されている。但し、第３の制限板７２が第１の制限板２２および第２の制限板３２と同じ寸法を有している必要はない。なお、本実施の形態では、第３の制限板７２は、それぞれ、例えば矩形状に形成されているものとしたが、第３の制限板７２の形状は、これに限定されるものではなく、例えば、第１の制限板２２と同様に、長方形形状に形成されていてもよい。
【０２２１】
本実施の形態によれば、蒸着源１０から射出された蒸着粒子４０１は、第１の制限板ユニット２０を通過した後、第２の制限板ユニット３０を通過し、その後、第３の制限板ユニット７０を通過して蒸着マスク４０に形成されたマスク開口４１に入射し、被成膜基板２００に蒸着される。
【０２２２】
第３の制限板ユニット７０は、該第３の制限板ユニット７０に入射した蒸着粒子４０１を、第１の制限板ユニット２０および第２の制限板ユニット３０と同様に、その入射角度に応じて選択的に捕捉する。
【０２２３】
したがって、第１の制限板２２および第２の制限板３２と同様に、第３の制限板７２も、斜めの蒸着成分をカットするため、加熱しないか、図示しない熱交換器により冷却される。このため、第３の制限板７２も、蒸着源１０の射出口１１よりも低い温度（より厳密には、蒸着材料が気体になる蒸着粒子発生温度よりも低い温度）になっている。
【０２２４】
このため、第３の制限板ユニット７０には、必要に応じて、第３の制限板７２を冷却する、図示しない冷却機構が設けられていてもよい。
【０２２５】
なお、第３の制限板７２の固定には、第１の制限板２２および第２の制限板３２の固定と同様の方法を用いることができる。すなわち、本実施の形態でも、図４〜図６に示す第１の制限板２２および第２の制限板３２の固定方法と、同様の方法を用いることができる。
【０２２６】
＜効果＞
本実施の形態によれば、第２の制限板ユニット３０で指向性の低下が軽微な蒸着成分がカットされた蒸着流が、第３の制限板ユニット７０に入射する。その際、指向性が低下してしまった蒸着成分を第３の制限板７２でカットすることができる。また第２の制限板３２でカットしきれなかった指向性の悪い蒸着成分も上記第３の制限板７２でカットできる。
【０２２７】
一方、第２の制限板３２でカットしきれなかった指向性の悪い蒸着成分のうち、粒子間の衝突散乱を繰り返して指向性の高い成分に変化した蒸着成分は、第３の制限板７２でカットされずに、蒸着膜４０２として利用することができる。
【０２２８】
また、上述したように、第２の制限板ユニット３０の下流側にさらに第３の制限板ユニット７０を設けることで、それぞれの制限板ユニットに機能を分離できるので、第２の制限板３２を、複雑な形状もしくは配置に設計する必要がない。
【０２２９】
また、上述したように、制限板ユニットを複数段設けること、特に、上述したように、第１の制限板ユニット２０と蒸着マスク４０との間に制限板ユニットを複数段設けることで、蒸着ボケを抑止できる一方で材料利用効率が低下したり、あるいは、材料利用効率を低下させないために蒸着ボケの抑止を犠牲にしたりする必要がなく、蒸着ボケの防止と材料利用効率の向上とを、容易かつ確実に両立することができる。
【０２３０】
また、本実施の形態によれば、第２の制限板ユニット３０の下流側に上記第３の制限板ユニット７０を設けることで、Ｘ軸に漸近あるいは完全に平行な蒸着成分も含めて、指向性の悪い蒸着成分をカットすることができる。すなわち、本実施の形態によれば、上述したように第３の制限板７２を完全にＹ軸に平行とすることで、Ｘ軸に完全に平行な蒸着成分までもカットすることができる。
【０２３１】
このように、複数段で構成される制限板ユニットのうち、最も蒸着マスク４０に近い、最上段（言い換えれば、最も下流側）に、Ｙ軸に平行な第３の制限板７２を有する第３の制限板ユニット７０を設けることで、指向性の悪い蒸着成分を、最後の最後に除去した状態で、蒸着粒子４０１を、蒸着マスク４０のマスク開口４１に入射させることができる。
【０２３２】
＜変形例＞
なお、本実施の形態では、図１３に示すように、第３の制限板７２を第１の制限板２２に重畳して設置する場合を例に挙げて図示したが、本実施の形態は、これに限定されるものではない。
【０２３３】
但し、第３の制限板ユニット７０においては、第１の制限板ユニット２０および第２の制限板ユニット３０により指向性の悪い蒸着成分がカットされていることで、指向性の高い蒸着成分が多く通過する。このため、第１の制限板２２間の制限板開口２３に第３の制限板７２を設置すると、第１の制限板ユニット２０および第２の制限板ユニット３０で制御された指向性の高い蒸着成分までも第３の制限板７２でカットしてしまうおそれがある。このため、第３の制限板７２は、第１の制限板２２上に設置することが望ましい。
【０２３４】
また、本実施の形態では、図１２に示すように、蒸着源１０、第１の制限板ユニット２０、第２の制限板ユニット３０、第３の制限板ユニット７０、蒸着マスク４０が、互いに離間して設けられている場合を例に挙げて図示したが、これら蒸着源１０、第１の制限板ユニット２０、第２の制限板ユニット３０、第３の制限板ユニット７０、蒸着マスク４０は、互いに離間して設けられていてもよく、互いに接触または一体化して設けられていてもよい。なお、この場合のメリット・デメリットとしては、実施の形態１に記載のメリット・デメリットと同様である。
【０２３５】
また、本実施の形態では、制限板ユニットが３段設けられている場合を例に挙げて説明したが、制限板ユニットは、４段以上設けられていても構わない。この場合にも、各制限板の形状・配置が一致している必要はなく、想定される蒸着分布に応じて適切な配置をすればよい。
【０２３６】
〔まとめ〕
本発明の態様１にかかる蒸着ユニット１は、蒸着マスク４０と、上記蒸着マスク４０に向かって蒸着粒子４０１を射出する蒸着源１０と、上記蒸着マスク４０と蒸着源１０との間に設けられ、上記蒸着粒子４０１の通過角度を制限する第１の制限板ユニット２０および第２の制限板ユニット３０を少なくとも有する複数段の制限板ユニットとを備え、上記第１の制限板ユニット２０は、上記蒸着マスク４０の主面に垂直な方向（Ｚ軸方向）から見たときに、第１の方向（Ｘ軸方向）に互いに離間し、かつ、互いに平行に設けられた、複数の第１の制限板２２からなる第１の制限板列２１を備え、上記第２の制限板ユニット３０は、上記第１の制限板ユニット２０と蒸着マスク４０との間に設けられており、かつ、複数の第２の制限板３２を備え、上記蒸着マスク４０の主面に垂直な方向から見たときに、上記第２の制限板３２が、上記第１の方向に垂直な第２の方向（Ｙ軸方向）に交差する方向に延設されている。
【０２３７】
これにより、上記蒸着ユニット１は、上記第２の制限板３２の端面３２ａが、上記第１の制限板例２１における、上記第１の制限板２２の端面２２ａおよび上記第１の制限板２２間の開口領域（制限板開口２３）のうち少なくとも一方と交差している。
【０２３８】
上記の構成によれば、第１の制限板２２で指向性を向上させた蒸着流が、第１の制限板２２間の開口領域（制限板開口２３）通過後に指向性が悪く（いわゆる等方的な分布化）なったとしても、第２の制限板３２で、指向性の悪い蒸着成分（蒸着粒子４０１）をカットすることができる。
【０２３９】
このため、第２の制限板ユニット３０を通過した蒸着粒子４０１は、高指向性を保持した状態で蒸着マスク４０を通過し、被成膜基板２００に蒸着される。このため、蒸着ボケを抑制することができ、蒸着ボケが極めて少ない、高精細な蒸着膜パターンを形成することができる。
【０２４０】
また、上記蒸着ユニット１は、蒸着経路（Ｚ軸方向）に複数段の制限板ユニットを備えていることで、蒸着流の分布に応じて、蒸着ボケを起こす蒸着流の分布のみを、効率的にカットすることができる。このため、蒸着マスク４０の主面に垂直な方向における制限板の長さを長くした場合のように制限板でロスする材料を低減することができる。
【０２４１】
したがって、上記蒸着ユニット１によれば、高レート時の蒸着ボケを抑制することができるとともに、従来よりも、材料利用効率を向上させることができ、収率および生産性を向上させることができる。
【０２４２】
本発明の態様２にかかる蒸着ユニット１は、上記態様１において、上記第１の制限板２２および第２の制限板３２が、それぞれ、上記蒸着マスク４０の主面に垂直に設けられていることが好ましい。
【０２４３】
この場合、上記第１の制限板２２および第２の制限板３２の配置が容易であり、かつ、指向性が高い蒸着粒子をカットするおそれがない。
【０２４４】
また、本発明の態様３にかかる蒸着ユニット１は、上記態様１または２において、上記蒸着マスク４０の主面に垂直な方向から見たときに、上記第１の制限板２２と第２の制限板３２とは、互いの端面が互いに直交する方向に延設されていることが好ましい。
【０２４５】
つまり、上記第２の制限板ユニット３０は、上記蒸着マスク４０の主面に垂直な方向から見たときに、上記第１の方向に垂直な第２の方向に互いに離間して設けられた、上記複数の第２の制限板３２からなる第２の制限板列３１を備えていることが好ましい。
【０２４６】
上記の構成によれば、上記第２の制限板３２の配設が容易であり、かつ、第１の制限板２２で指向性を向上させた蒸着流が、第１の制限板２２間の開口領域（制限板開口２３）を通過後に指向性が悪くなったとしても、第２の制限板３２で、指向性の悪い蒸着成分をカットすることができる。
【０２４７】
また、本発明の態様４にかかる蒸着ユニット１は、上記態様１または２において、上記第２の制限板３２が、上記蒸着マスク４０の主面に垂直な方向から見たときに、上記第１の方向に漸近するように形成されていることが好ましい。
【０２４８】
すなわち、上記第２の制限板３２は、上記蒸着マスク４０の主面に垂直な方向から見たときに、個々の第２の制限板３２全体が上記第１の方向に漸近するように配置されていてもよく、上記第２の制限板３２の屈曲線が、上記第１の方向に漸近するように形成されていてもよい。
【０２４９】
蒸着粒子４０１は、指向性が低下するほどＸ軸に漸近して飛ぶ傾向がある。このため、指向性の低下が極めて大きい場合、指向性が低い蒸着粒子４０１を第２の制限板３２で捕捉するには、第２の制限板３２が、上記蒸着マスク４０の主面に垂直な方向から見たときに、上記第１の方向に漸近するように形成されていることが好ましい。
【０２５０】
上記構成とすることで、上記第１の方向に漸近している蒸着粒子４０１についてもカットすることができ、より高レートで運動エネルギーの高い蒸着流に対しても、その飛散を制限することができる。このため、蒸着粒子４０１の衝突・散乱による指向性の低下が極めて大きい場合であっても、蒸着ボケを抑制することができる。
【０２５１】
また、本発明の態様５にかかる蒸着ユニット１は、上記態様４において、上記蒸着マスク４０の主面に垂直な方向から見たときに、上記第２の制限板３２が、屈曲点を少なくとも１つ有していることが好ましい。
【０２５２】
このように第２の制限板３２が屈曲していることで、第２の制限板３２が、上記第１の方向に漸近して上記第２の方向に連続して設けられる。
【０２５３】
このため、より高レートで運動エネルギーの高い蒸着流に対しても、その飛散を制限することができる。このため、蒸着粒子４０１の衝突・散乱による指向性の低下が極めて大きい場合であっても、蒸着ボケを抑制することができる。
【０２５４】
また、本発明の態様６にかかる蒸着ユニット１は、上記態様５において、上記蒸着マスク４０の主面に垂直な方向から見たときに、上記第２の制限板３２の端面が、屈曲点を複数有していることが好ましい。
【０２５５】
すなわち、上記第２の制限板３２は、例えばジグザグ形状に形成されていてもよい。
【０２５６】
屈曲点の数が多いほど、第２の制限板３２でカットされる指向性の悪い蒸着成分（蒸着粒子４０１）が多くなるため、蒸着ボケをより一層改善することができる。
【０２５７】
また、本発明の態様５または６にかかる上記蒸着ユニット１は、上記蒸着マスク４０の主面に垂直な方向から見たときに、上記第２の制限板３２が、上記蒸着源１０の射出口１１の近傍にのみ設けられている構成を有していてもよい。
【０２５８】
したがって、例えば、本発明の態様７にかかる蒸着ユニット１は、上記態様５または６において、上記蒸着マスク４０の主面に垂直な方向から見たときに、上記第２の方向に沿って並設された、上記蒸着源１０の射出口１１の列に重畳する領域にのみ設けられている構成を有していてもよい。
【０２５９】
また、本発明の態様８にかかる蒸着ユニット１は、上記態様５〜７の何れかにおいて、上記蒸着マスク４０の主面に垂直な方向から見たときに、上記蒸着源１０の射出口１１が上記第１の制限板２２間の制限板開口２３の中心部分に設けられており、上記第２の制限板３２が、上記第１の制限板２２の中心部分の領域にのみ設けられている構成を有していてもよい。
【０２６０】
また、本発明の態様９にかかる蒸着ユニット１は、上記態様６において、上記蒸着マスク４０の主面に垂直な方向から見たときに、上記蒸着源１０の射出口１１に相対的に近い領域（例えば制限板開口２３の中心部の上方の領域Ｐ１）では上記第２の制限板３２の屈曲角度が相対的に小さく、上記射出口１１から相対的に遠い領域（例えば制限板開口２３のＹ軸方向両端部側の上方の領域Ｐ２・Ｐ３）では、上記第２の制限板３２の屈曲角度が相対的に大きいことが好ましい。
【０２６１】
また、本発明の態様１０にかかる蒸着ユニット１は、上記態様９において、上記第２の制限板３２の屈曲角度は、上記蒸着マスク４０の主面に垂直な方向から見たときに、上記蒸着源１０の射出口１１から遠ざかるほど大きくなることが好ましい。
【０２６２】
射出口１１の近傍上方は、蒸着密度が高く、蒸着粒子４０１の衝突が多いので、指向性が悪くなり易い。一方、射出口１１から遠ざかると、蒸着密度が低くなるため、指向性が悪くなり難い。
【０２６３】
このため、態様７〜１０の構成によれば、指向性が高い蒸着粒子４０１はカットしないか、もしくはカットを抑制し、指向性が悪い、Ｘ軸方向に漸近して飛散するような蒸着粒子４０１を、効率良くカットすることができる。
【０２６４】
また、本発明の態様１１にかかる蒸着ユニット１は、上記態様４において、上記蒸着マスク４０の主面に垂直な方向から見たときに、上記第２の制限板３２が互いに交差していることが好ましい。
【０２６５】
上記の構成によれば第２の制限板３２でカットされる指向性の悪い蒸着成分が多くなるため、蒸着ボケをさらに改善することができる。
【０２６６】
また、本発明の態様１２にかかる蒸着ユニット１は、上記態様１〜１１の何れかにおいて、上記第２の制限板は、上記蒸着マスクの主面に垂直な方向から見たときに、それぞれ、上記複数の第１の制限板を跨ぐように上記第１の方向に連続して設けられていることが好ましい。
【０２６７】
上記蒸着ユニットによれば、上記第２の制限板を容易に配設することができる。
【０２６８】
また、本発明の態様１３にかかる蒸着ユニット１は、上記態様１〜１２の何れかにおいて、上記第２の制限板３２が、上記蒸着マスク４０の主面に垂直な方向から見たときに、上記第１の方向および第２の方向に複数設けられていることが好ましい。
【０２６９】
上記の構成によれば、小型の部品の組合せで第２の制限板３２を構成できるので、制限板交換等のメンテナンスやノズル分布・蒸着分布に応じた細かな調整が可能となる。
【０２７０】
また、本発明の態様１４にかかる蒸着ユニット１は、上記態様１〜１３の何れかにおいて、上記第１の制限板２２と第２の制限板３２とが互いに離間して設けられていることが好ましい。
【０２７１】
上記の構成によれば、第１の制限板２２を通過後に低指向性化した蒸着粒子４０１が高指向性化する機会を活かすことができる。このため、材料利用効率の低下を抑制することができ。
【０２７２】
また、本発明の態様１５にかかる蒸着ユニット１は、上記態様１〜１４の何れかにおいて、上記第１の制限板２２と第２の制限板３２とが互いに接触して設けられていることが好ましい。
【０２７３】
上記の構成によれば、第１の制限板２２を通過後の低指向性の蒸着粒子４０１を確実に捕捉することができ、蒸着ボケが発生し難いという利点がある。また、第１の制限板２２と第２の制限板３２とをピンアライメント等で極めて正確に位置合わせすることができる。さらに、例えば第１の制限板２２に冷却機構が設けられている場合、第２の制限板３２に別途冷却機構を設けなくても、第２の制限板３２を、第１の制限板２２に設けられた冷却機構を用いて冷却することができる。このため、簡素な構成で、捕捉した蒸着粒子４０１の再蒸発を防ぐことができる。
【０２７４】
また、本発明の態様１６にかかる蒸着ユニット１は、上記態様１〜１５の何れかにおいて、上記複数段の制限板ユニットは、上記第２の制限板ユニット３０と蒸着マスク４０との間に、上記第２の制限板ユニット３０を通過した蒸着粒子４０１の通過角度を制限する第３の制限板ユニット７０をさらに有しており、上記第３の制限板ユニット７０は、上記蒸着マスク４０の主面に垂直な方向から見たときに、少なくとも、第１の方向に互いに離間し、かつ、互いに平行に設けられた、複数の第３の制限板７２からなる第３の制限板列７１を備えていることが好ましい。
【０２７５】
上記の構成によれば、上記第２の制限板ユニット３０で指向性の低下が軽微な蒸着成分がカットされた蒸着流が上記第３の制限板ユニット７０に入射する際に、指向性が低下してしまった蒸着成分を、上記第３の制限板７２でカットすることができる。また第２の制限板３２でカットしきれなかった指向性の悪い蒸着成分も上記第３の制限板７２でカットできる。
【０２７６】
一方、上記第２の制限板３２でカットしきれなかった指向性の悪い蒸着成分のうち、蒸着粒子間の衝突散乱を繰り返して指向性の高い成分に変化した蒸着成分は、上記第３の制限板７２でカットされずに、蒸着膜４０２として利用することができる。
【０２７７】
また、上記第２の制限板ユニット３０の下流側にさらに上記第３の制限板ユニット７０を設けることで、それぞれの制限板ユニットに機能を分離できるので、第２の制限板３２を、複雑な形状もしくは配置に設計することなく、Ｘ軸に漸近あるいは完全に平行な蒸着成分も含めて、指向性の悪い蒸着成分をカットすることができる。このため、蒸着ボケの防止と材料利用効率の向上とを、容易かつ確実に両立することができる。
【０２７８】
また、本発明の態様１７にかかる蒸着ユニット１は、上記態様１〜１６の何れかにおいて、上記蒸着マスク４０の主面に垂直な方向から見たときに、上記蒸着源１０の射出口１１に相対的に近い領域（例えば制限板開口２３の中心部の上方の領域Ｐ１）では上記第２の制限板３２の配設密度が相対的に高く、上記射出口１１から相対的に遠い領域（例えば制限板開口２３のＹ軸方向両端部側の上方の領域Ｐ２・Ｐ３）では、上記第２の制限板３２の配設密度が相対的に低いことが好ましい。
【０２７９】
また、本発明の態様１８にかかる蒸着ユニット１は、上記態様１７において、上記第２の制限板３２の配設密度は、上記蒸着マスク４０の主面に垂直な方向から見たときに、上記蒸着源１０の射出口１１から遠ざかるほど低くなることが好ましい。
【０２８０】
態様１７または１８の構成によれば、指向性が高い蒸着粒子４０１はカットしないか、もしくはカットを抑制し、指向性が悪い、Ｘ軸方向に漸近して飛散するような蒸着粒子４０１を、効率良くカットすることができる。
【０２８１】
また、本発明の態様１９にかかる蒸着装置１００は、上記態様１〜１８の何れかの蒸着ユニット１と、上記蒸着ユニット１における蒸着マスク４０と被成膜基板２００とを対向配置した状態で、上記蒸着ユニット１および上記被成膜基板２００のうち一方を、上記第２の方向が走査方向となるように相対移動させる移動装置（基板移動装置１０３または蒸着ユニット移動装置１０４）とを備え、上記蒸着マスク４０の上記第２の方向の幅は、上記第２の方向における被成膜基板２００の幅よりも小さく、上記第２の方向に沿って走査しながら、上記蒸着源１０から出射された蒸着粒子４０１を、上記複数段の制限板ユニットおよび上記蒸着マスク４０の開口部を介して上記被成膜基板２００に蒸着させる。
【０２８２】
このため、上記蒸着装置１００によれば、高レート時の蒸着ボケを抑制することができるとともに、従来よりも、材料利用効率を向上させることができ、収率および生産性を向上させることができる。
【０２８３】
本発明は上述した各実施の形態に限定されるものではなく、請求項に示した範囲で種々の変更が可能であり、異なる実施の形態にそれぞれ開示された技術的手段を適宜組み合わせて得られる実施の形態についても本発明の技術的範囲に含まれる。さらに、各実施の形態にそれぞれ開示された技術的手段を組み合わせることにより、新しい技術的特徴を形成することができる。
【産業上の利用可能性】
【０２８４】
本発明は、被成膜基板と蒸着ユニットとを相対的に移動させて走査しながら蒸着を行う、スキャニング方式を用いたスキャン蒸着に使用される蒸着ユニット、および、そのような蒸着ユニットを用いて所定のパターンを成膜する蒸着装置に好適に利用することができる。特に、本発明の蒸着ユニットおよび蒸着装置は、例えば、有機ＥＬ表示装置における有機層の塗り分け形成等の成膜プロセスに用いられる、有機ＥＬ表示装置の製造装置並びに製造方法等に好適に用いることができる。
【符号の説明】
【０２８５】
１      蒸着ユニット
１０      蒸着源
１１      射出口
２０      第１の制限板ユニット
２１      第１の制限板列
２２，２２Ａ，２２Ｂ    第１の制限板
２２ａ    端面
２３，２３Ａ，２３Ｂ    制限板開口（開口領域）
２４      第１の保持部材
２５      第２の保持部材
２６      保持体
２７      支持部
２８      隙間
３０      第２の制限板ユニット
３１      第２の制限板列
３２      第２の制限板
３２ａ    端面
３３      制限板開口（開口領域）
３４      第１保持部材
３５      第２保持部材
３６      保持体
３７      支持部
４０      蒸着マスク
４１      マスク開口
４２      アライメントマーカ
５０      ホルダ
５１      スライド装置
５２      支持部材
５３      テンション機構
６０      防着板
７０      第３の制限板ユニット
７１，７１Ａ，７１Ｂ    第３の制限板列
７２      第３の制限板
７３      制限板開口（開口領域）
１００      蒸着装置
１０１      真空チャンバ
１０２      基板ホルダ
１０３      基板移動装置
１０４      蒸着ユニット移動装置
１０５      イメージセンサ
２００      被成膜基板
２０１      被蒸着面
２０２      アライメントマーカ
４０１      蒸着粒子
４０２      蒸着膜
【図１】
2014119452.tif 000003
【図２】
2014119452.tif 000004
【図３】
2014119452.tif 000005
【図４】
2014119452.tif 000006
【図５】
2014119452.tif 000007
【図６】
2014119452.tif 000008
【図７】
2014119452.tif 000009
【図８】
2014119452.tif 000010
【図９】
2014119452.tif 000011
【図１０】
2014119452.tif 000012
【図１１】
2014119452.tif 000013
【図１２】
2014119452.tif 000014
【図１３】
2014119452.tif 000015
【図１４】
2014119452.tif 000016
【図１５】
2014119452.tif 000017
【図１６】
2014119452.tif 000018
【手続補正書】
【提出日】平成28年5月9日(2016.5.9)
【手続補正１】
【補正対象書類名】特許請求の範囲
【補正対象項目名】全文
【補正方法】変更
【補正の内容】
【特許請求の範囲】
【請求項１】
蒸着マスクと、
上記蒸着マスクに向かって蒸着粒子を射出する蒸着源と、
上記蒸着マスクと蒸着源との間に、上記蒸着マスクと離間して設けられ、上記蒸着粒子の通過角度を制限する第１の制限板ユニットおよび第２の制限板ユニットを少なくとも有する複数段の制限板ユニットとを備え、
上記第１の制限板ユニットは、上記蒸着マスクの主面に垂直な方向から見たときに、第１の方向に互いに離間し、かつ、互いに平行に、上記第１の方向に垂直な第２の方向に延設して設けられた、複数の第１の制限板からなる第１の制限板列を備え、
上記第２の制限板ユニットは、上記第１の制限板ユニットと蒸着マスクとの間に設けられており、かつ、複数の第２の制限板を備え、
上記蒸着マスクの主面に垂直な方向から見たときに、上記第２の制限板が、上記第２の方向に交差する方向に延設されていることを特徴とする蒸着ユニット。
【請求項２】
上記第１の制限板および第２の制限板は、それぞれ、上記蒸着マスクの主面に垂直に設けられていることを特徴とする請求項１に記載の蒸着ユニット。
【請求項３】
上記蒸着マスクの主面に垂直な方向から見たときに、上記第１の制限板と第２の制限板とは、互いの端面が互いに直交する方向に延設されていることを特徴とする請求項１または２に記載の蒸着ユニット。
【請求項４】
上記第２の制限板は、上記蒸着マスクの主面に垂直な方向から見たときに、上記第１の方向に漸近するように形成されていることを特徴とする請求項１または２に記載の蒸着ユニット。
【請求項５】
上記蒸着マスクの主面に垂直な方向から見たときに、上記第２の制限板が、屈曲点を少なくとも１つ有していることを特徴とする請求項４に記載の蒸着ユニット。
【請求項６】
上記蒸着マスクの主面に垂直な方向から見たときに、上記第２の制限板の端面が、屈曲点を複数有していることを特徴とする請求項５に記載の蒸着ユニット。
【請求項７】
上記蒸着マスクの主面に垂直な方向から見たときに、上記第２の方向における、上記蒸着源の射出口に相対的に近い領域では上記第２の制限板の屈曲角度が相対的に小さく、上記射出口から相対的に遠い領域では、上記第２の制限板の屈曲角度が相対的に大きいことを特徴とする請求項６に記載の蒸着ユニット。
【請求項８】
上記第２の制限板の屈曲角度は、上記蒸着マスクの主面に垂直な方向から見たときに、上記第２の方向において、上記蒸着源の射出口から遠ざかるほど大きくなることを特徴とする請求項７に記載の蒸着ユニット。
【請求項９】
上記蒸着マスクの主面に垂直な方向から見たときに、上記第２の制限板が互いに交差していることを特徴とする請求項４に記載の蒸着ユニット。
【請求項１０】
上記第２の制限板は、上記蒸着マスクの主面に垂直な方向から見たときに、それぞれ、上記複数の第１の制限板を跨ぐように上記第１の方向に連続して設けられていることを特徴とする請求項１〜９の何れか１項に記載の蒸着ユニット。
【請求項１１】
上記蒸着マスクの主面に垂直な方向から見たときに、上記第２の制限板は、上記第１の制限板間の制限板開口上にのみ設けられていることを特徴とする請求項４〜９の何れか１項に記載の蒸着ユニット。
【請求項１２】
上記蒸着マスクの主面に垂直な方向から見たときに、上記第２の方向における、上記蒸着源の射出口に相対的に近い領域では上記第２の制限板の配設密度が相対的に高く、上記射出口から相対的に遠い領域では、上記第２の制限板の配設密度が相対的に低いことを特徴とする請求項１〜１１の何れか１項に記載の蒸着ユニット。
【請求項１３】
上記第２の制限板の配設密度は、上記蒸着マスクの主面に垂直な方向から見たときに、上記蒸着源の射出口から遠ざかるほど低くなることを特徴とする請求項１２に記載の蒸着ユニット。
【請求項１４】
上記蒸着マスクの主面に垂直な方向から見たときに、上記第２の制限板は、上記第２の方向における、上記蒸着源の射出口に相対的に近い領域にのみ設けられている請求項５または６に記載の蒸着ユニット。
【請求項１５】
上記蒸着マスクの主面に垂直な方向から見たときに、上記蒸着源の射出口が上記第１の制限板間の制限板開口の中心部分に設けられており、上記第２の制御板が、上記第１の制御板の中心部分の領域にのみ設けられていることを特徴とする請求項５、６、１４の何れか１項に記載の蒸着ユニット。
【請求項１６】
上記第２の制限板は、上記蒸着マスクの主面に垂直な方向から見たときに、上記第１の方向および第２の方向に複数設けられていることを特徴とする請求項１〜１５の何れか１項に記載の蒸着ユニット。
【請求項１７】
上記第１の制限板と第２の制限板とが互いに離間して設けられていることを特徴とする請求項１〜１６の何れか１項に記載の蒸着ユニット。
【請求項１８】
上記第１の制限板と第２の制限板とが互いに接触して設けられていることを特徴とする請求項１〜１７の何れか１項に記載の蒸着ユニット。
【請求項１９】
上記複数段の制限板ユニットは、上記第２の制限板ユニットと蒸着マスクとの間に、上記第２の制限板ユニットを通過した蒸着粒子の通過角度を制限する第３の制限板ユニットをさらに有しており、
上記第３の制限板ユニットは、上記蒸着マスクの主面に垂直な方向から見たときに、少なくとも、第１の方向に互いに離間し、かつ、互いに平行に設けられた、複数の第３の制限板からなる第３の制限板列を備えていることを特徴とする請求項１〜１８の何れか１項に記載の蒸着ユニット。
【請求項２０】
請求項１〜１９の何れか１項に記載の蒸着ユニットと、
上記蒸着ユニットにおける蒸着マスクと被成膜基板とを対向配置した状態で、上記蒸着ユニットおよび上記被成膜基板のうち一方を、上記第２の方向が走査方向となるように相対移動させる移動装置とを備え、
上記蒸着マスクの上記第２の方向の幅は、上記第２の方向における被成膜基板の幅よりも小さく、
上記第２の方向に沿って走査しながら、上記蒸着源から出射された蒸着粒子を、上記複数段の制限板ユニットおよび上記蒸着マスクの開口部を介して上記被成膜基板に蒸着させることを特徴とする蒸着装置。
【国際調査報告】
2014119452.tif 000019
2014119452.tif 000020
2014119452.tif 000021
2014119452.tif 000022